(57)【要約】  １つの態様では、携帯型流体分配装置で使用するための新しいディスペンサ構成要素が提供される。本システムは、任意選択で、香味料または健康サプリメントなどの１つまたは複数の他の摂取可能なものとともに、水および他の液体を使用者に投与するために使用することができる。別の態様では、新しいロータまたはディスクユニットは、摂取可能な物質を含む１つまたは複数のポッドまたはパケットを備え得る。さらなる態様では、１つまたは複数のそのようなポッドまたはパケットは、１つまたは複数の摂取可能な物質を備え得る。【選択図】図１Ｂ
2021528214.tif 000002
【特許請求の範囲】
【請求項１】
（ａ）流体を保持するための容器構成要素と、
（ｂ）前記容器構成要素と連通するディスペンサ構成要素であって、前記容器構成要素に選択的に追加できる２つ以上の摂取可能な物質を保持するように適合され、前記摂取可能な物質は、少なくとも２つの異なる物質種類を含む、ディスペンサ構成要素とを備える、
個人用携帯型流体分配装置。
【請求項２】
（ｃ）前記容器構成要素の下に取り付けられたベース構成要素をさらに備える、
請求項１に記載の装置。
【請求項３】
流体を保持するための容器構成要素と、
ユーザ選択に基づいて前記容器構成要素に選択的に追加できる２つ以上の摂取可能な物質を保持するように構成されたディスペンサ構成要素とを備える、
個人用携帯型流体分配装置。
【請求項４】
前記容器構成要素の下に取り付けられたベース構成要素をさらに備える、請求項３に記載の装置。
【請求項５】
前記容器構成要素は、前記ベース構成要素と嵌合する開放端部分を有する、請求項１または３のいずれか一項に記載の装置。
【請求項６】
前記ベース構成要素は、前記容器構成要素に保持された流体の温度制御を提供する、請求項１から５のいずれか一項に記載の装置。
【請求項７】
前記ベース構成要素は、複数の区画に分割される、請求項１から６のいずれか一項に記載の装置。
【請求項８】
前記容器構成要素は、ミキサ構成要素を含む、請求項７に記載の装置。
【請求項９】
前記摂取可能な物質が前記容器構成要素に分配されることに応じて、または、前記装置の動きが検出されることに応じて、前記ミキサ構成要素が自動的に作動される、請求項８に記載の装置。
【請求項１０】
前記ミキサ構成要素は、格納されたブレンディングスケジュールに基づいて作動される、請求項８に記載の装置。
【請求項１１】
前記装置の１つまたは複数の動作パラメータを手動または遠隔で操作することができる、請求項１から８のいずれか一項に記載の装置。
【請求項１２】
前記１つまたは複数の動作パラメータは、前記容器構成要素内の流体の温度、前記容器構成要素への１つまたは複数の摂取可能な物質の追加、前記装置のユーザへの出力、滅菌のための内容物の紫外線光への照射、内容物の可変の色および／または明るさによる背面照明、二次流体の追加、前記流体と前記摂取可能な物質とのブレンド、またはＲＦＩＤチップまたはＱＲコードスキャンによる摂取可能な物質のパケットのスキャンを含む、請求項１１に記載の装置。
【請求項１３】
前記ベース構成要素および容器構成要素は、解放可能に取り付けられる、請求項１から１２のいずれか一項に記載の装置。
【請求項１４】
前記ベース構成要素および前記容器構成要素は、ねじ留めされたアタッチメントによって解放可能に係合される、請求項１３に記載の装置。
【請求項１５】
バッテリ構成要素およびプロセッサを備える、請求項１から１４のいずれか一項に記載の装置。
【請求項１６】
前記装置および関連するアプリケーションは、１つまたは複数の使用パラメータと、ユーザが格納した人口統計と、格納されたユーザの好みと、ユーザの場所と、前記装置への動きの影響と、前記装置の方位、圧力、および方向と、加速度計の読取値と、ひずみゲージの読取値と、サーミスタの読取値と、体重、運動、および周囲温度に基づく最適な水分補給とを評価する、請求項１から１５のいずれか一項に記載の装置。
【請求項１７】
１つまたは複数の使用パラメータは、
前記装置に含まれる液体のレベルと、
前記装置に含まれる摂取可能な物質の量と、
前記装置に含まれる摂取可能な物質の種類と、
前記装置に含まれる流体の温度と、
前記装置の電源レベルと、
利用可能な近くの流体供給の場所と、
ユーザの消費量と流体および摂取可能な物質の種類の記録と、
流体および摂取可能な物質のユーザ消費のスケジュールと
含む、請求項１６に記載の装置。
【請求項１８】
前記装置に含まれる流体のレベルの表示は、複数の発光ダイオードによって提供される、請求項１７に記載の装置。
【請求項１９】
前記容器区画は、前記装置に含まれる流体のレベルの視覚的表示を提供するための透明なパネルを含む、請求項１７に記載の装置。
【請求項２０】
前記ディスペンサ構成要素は、１つまたは複数の摂取可能な物質を組み入れて、選択的に分配するように構成される、請求項１から１９のいずれか一項に記載の装置。
【請求項２１】
前記ディスペンサ構成要素は、複数の別個の摂取可能な物質を組み入れて、選択的に分配するように構成される、請求項１から２０のいずれか一項に記載の装置。
【請求項２２】
前記ディスペンサは、複数の別個の摂取可能な物質を同時に選択的に分配するように構成される、請求項２１に記載の装置。
【請求項２３】
前記容器構成要素および前記ディスペンサ構成要素は、回転可能に取り付けられる、請求項１から２１のいずれか一項に記載の装置。
【請求項２４】
前記容器構成要素および前記ディスペンサ構成要素は、ピン回転、ボア回転、または同心回転を介して取り付けられる、請求項２３に記載の装置。
【請求項２５】
前記ディスペンサ構成要素は、前記摂取可能な物質を前記容器構成要素に分配するために、前記容器構成要素に対して横方向にオフセットされるように回転される、請求項１から２３のいずれか一項に記載の装置。
【請求項２６】
前記ディスペンサ構成要素の回転により、ストライカが、前記ディスペンサ構成要素に向かって回転し、前記摂取可能な物質を解放する、請求項２５に記載の装置。
【請求項２７】
前記ストライカに機械的に接続された飲用チューブを備える、請求項１から２６のいずれか一項に記載の装置。
【請求項２８】
前記飲用チューブは、前記容器構成要素の中心を通って、または前記ディスペンサ構成要素の直径の外側に配置される、請求項２７に記載の装置。
【請求項２９】
前記ディスペンサ構成要素は、前記容器構成要素と連通する飲用経路を備える、請求項２６に記載の装置。
【請求項３０】
前記飲用チューブを飲用位置に回転させて、前記ストライカを前記ディスペンサ構成要素に向かって移動させる、請求項２７に記載の装置。
【請求項３１】
前記容器構成要素に回転可能に結合されたハンドルまたはレバーを備える、請求項１から２６のいずれか一項に記載の装置。
【請求項３２】
前記ハンドルまたはレバーは、前記ストライカに機械的に接続され、下向きに回転され、前記摂取可能な物質を密封する蓋物質を突き刺すことによって前記摂取可能な物質を前記容器構成要素に分配する、請求項３１に記載の装置。
【請求項３３】
前記ハンドルまたはレバーを反対方向に回転させて、前記摂取可能な物質と、前記容器構成要素に含まれる流体とをブレンドする、請求項３２に記載の装置。
【請求項３４】
前記装置の全体の高さは、約８から１５インチの範囲にある、請求項１から３３のいずれか一項に記載の装置。
【請求項３５】
前記装置の断面寸法は、底部から前記ディスペンサ構成要素に向かって減少する、請求項１から３４のいずれか一項に記載の装置。
【請求項３６】
前記装置の全体の高さは、実質的に均一である、請求項１から３４のいずれか一項に記載の装置。
【請求項３７】
前記装置の断面寸法は、約２．５から５インチの範囲にある、請求項１から３６のいずれか一項に記載の装置。
【請求項３８】
流体を保持するための容器構成要素と、
前記容器構成要素に選択的に追加できる２つ以上の摂取可能な物質を保持するように構成されたディスペンサ構成要素とを備え、
複数の別個の流体を別々に貯蔵することができる、
個人用携帯型流体分配装置。
【請求項３９】
前記容器構成要素は、前記複数の別個の流体を貯蔵するために複数の区画に分割される、請求項３８に記載の装置。
【請求項４０】
容器チャンバ壁は、前記容器構成要素を前記複数の区画に分割する、請求項３９に記載の装置。
【請求項４１】
前記容器チャンバ壁は、前記容器構成要素の各区画を流体的に結合するための格納式下部を備える、請求項４０に記載の装置。
【請求項４２】
前記複数の別個の流体をユーザに独立して分配するように構成される、請求項４１に記載の装置。
【発明の詳細な説明】
【技術分野】
【０００１】
関連出願の相互参照
この出願は、２０１８年６月２２日に出願された米国仮出願第６２／６８８，５２４号および２０１８年１０月２２日に出願された米国仮出願第６２／７４９，０８５号に対する優先権を主張する。前述の特許出願の全内容は、この参照により本明細書に組み込まれる。
【０００２】
１つの態様では、携帯型流体分配装置で使用するための新しいディスペンサ構成要素が提供される。本システムは、任意選択で、香味料、健康サプリメント、または完全食などの１つまたは複数の他の摂取可能なものとともに、ユーザに水および他の液体を投与するために使用することができる。別の態様では、新しいロータまたはディスクユニットは、摂取可能な物質を含む１つまたは複数のポッドまたはパケットを備え得る。さらなる態様では、１つまたは複数のそのようなポッドまたはパケットは、１つまたは複数の摂取可能な物質を備え得る。
【背景技術】
【０００３】
人間の栄養サプリメントは、人口のかなりの割合によって使用されている。これらのサプリメントは、１）一般的な食事／栄養上の利点を提供する、２）（スポーツ栄養と同様）改善された身体的パフォーマンスを提供する、または３）身体の機能的側面を改善する（脂質コントロール／心臓の健康、ストレス管理、減量、老化プロセスの遅延、睡眠の改善など）ために使用され得る。
【０００４】
非常に多くのサプリメントが利用可能であるため、毎日のケアの一部としてサプリメントを大切にしている人は、多くの場合、１日あたり１０錠以上を服用している。これは、過剰な量のピルである可能性がある。人口の約４０％が、錠剤を飲み込むことに嫌悪感を持っていると推定されている。一部の個人は、ピルによる胸焼け、さらには多くのピルによるよりひどい胸焼けを報告している。さらに、毎日３バッチのピルを服用するのは面倒だと感じる人もいる。これは、「ピル疲労」と呼ばれる現象である。
【０００５】
サプリメントや他の摂取可能な物質（摂取可能なもの）を投与するための新しいシステムおよび方法を有することが望ましいであろう。
【発明の概要】
【０００６】
現在、新しい個人用携帯型流体分配装置を提供している。また、携帯型流体分配装置で使用するように構成された新しい分配またはロータユニット、および分配ユニットで使用するように構成された新しいパケットまたはポッドも提供している。
【０００７】
好ましい携帯型流体分配装置は、流体を保持するための容器構成要素と、容器構成要素と連通するディスペンサ構成要素とを備える。ディスペンサ構成要素は、容器構成要素に選択的に追加できる２つ以上の摂取可能な物質を保持するように適合される。摂取可能な物質は、好ましくは、少なくとも２つの異なる物質種類を含む。容器構成要素はまた、摂取可能な物質が容器構成要素に分配されることに応じて、または装置の移動を感知することに応じて、自動的に作動され得るミキサ構成要素を備える。ミキサ構成要素はまた、格納されたブレンディングスケジュールに基づいて作動され得る。あるいは、ミキサ構成要素は、手動で作動され得る。
【０００８】
この装置は、容器構成要素の下に取り付けられたベース構成要素をさらに含む。容器構成要素は、ベース構成要素と嵌合する開放端部分を有し得る。ベース構成要素は、複数の区画に分割され得る。１つの態様では、ベース構成要素は、容器構成要素に保持された流体の温度制御を提供する。装置の１つまたは複数の動作パラメータは、手動または遠隔で操作され得る。動作パラメータは、容器構成要素内の流体の温度、容器構成要素への１つまたは複数の摂取可能な物質の追加、装置のユーザへの出力、滅菌のための内容物の紫外線（ＵＶ）光への照射、内容物の可変の色および／または明るさによる背面照明、二次流体（たとえば、甘味料、補助栄養素、液体クリーマなど）の追加、流体と摂取可能な物質とのブレンド、またはＲＦＩＤチップまたはＱＲスキャンによるパケットのスキャンを含む。
【０００９】
ベース構成要素および容器構成要素は、解放可能に取り付けられており、ねじ留めまたは同様のアタッチメントによって解放可能に係合され得る。装置は、バッテリ構成要素およびプロセッサをさらに備え得る。装置および関連するアプリは、１つまたは複数の使用パラメータと、格納されたユーザ人口統計と、格納されたユーザの好みと、ユーザの場所と、装置への動きの影響と、装置の方位、圧力、および方向と、ひずみゲージの読取値と、加速度計およびサーミスタの読取値と、体重、運動、および周囲温度に基づく最適な水分補給とを評価することができる。この評価されたデータは、液体の消費量を決定するために使用され得る。使用パラメータは、装置に含まれる流体のレベルと、装置に含まれる摂取可能な物質の量と、装置に含まれる摂取可能な物質の種類と、装置に含まれる流体の温度と、装置の電源レベルと、利用可能な近くの流体供給の場所と、ユーザの消費量と流体および摂取可能な物質の種類の記録と、流体および摂取可能な物質のユーザ消費のスケジュールとを含む。
【００１０】
装置に含まれる流体のレベルの表示は、複数の発光ダイオード（ＬＥＤ）によって提供され得る。好ましい実施形態では、容器区画は、装置に含まれる流体のレベルの視覚的表示を提供するための透明なパネルを含む。
【００１１】
１つの実施形態では、ディスペンサ構成要素は、１つまたは複数の摂取可能な物質を組み入れて、選択的に分配するように構成される。別の実施形態では、ディスペンサ構成要素は、複数の別個の摂取可能な物質を組み入れて、選択的に分配するように構成される。１つの実施形態では、複数の別個の摂取可能な物質は、同時に分配され得る。
【００１２】
１つの代替実施形態では、容器構成要素およびディスペンサ構成要素は、回転可能に取り付けられる。取り付けは、ピン回転、ボア回転、または同心回転を介して行われ得る。ディスペンサ構成要素は、摂取可能な物質を容器構成要素に分配するために、容器構成要素に対して横方向にオフセットされるように回転され得る。１つの実施形態では、ディスペンサ構成要素の回転により、ストライカが、ディスペンサ構成要素に向かって回転し、摂取可能な物質を解放する。
【００１３】
特定の実施形態では、装置は、ストライカに機械的に接続された飲用チューブを備える。飲用チューブは、容器構成要素の中心を通って、またはディスペンサ構成要素の直径の外側に配置される。飲用チューブを飲用位置に回転させて、ストライカをディスペンサ構成要素に向かって移動させる。
【００１４】
好ましい実施形態では、図３２Ａおよび図３２Ｂに示されるように、ディスペンサ構成要素は、容器構成要素と連通し、摂取可能な物質のパケットの回転経路の外部にある飲用経路を備える。あるいは、さらに以下に説明され、図３２Ｃおよび図３２Ｄに示されるように、ロータの空洞は、容器構成要素からディスペンサ構成要素を通って、ディスペンサ構成要素の外部開口部（たとえば、飲用経路のマウスピース）に向かう流路を提供し得る。この構成では、ディスペンサ構成要素の先端にある追加のマウスピースは省略されている。代わりに、ディスペンサ構成要素自体の先端に開口部が設けられ、ロータの空洞を通る飲用経路を提供する。さらに、装置は、容器構成要素に回転可能に結合されたハンドルまたはレバーを備える。ハンドルまたはレバーを下向きに回転させて、ディスペンサ構成要素を容器構成要素にロックおよびシールすることができる。ハンドルまたはレバーもストライカに機械的に接続されており、下向きに回転され、摂取可能な物質を密封する蓋物質を突き刺すことにより、摂取可能な物質を容器構成要素に分配する。レバーの係合中、レバーは、使用中にパケットの内容物がパケットから分散される平面または方向から外部にあるか、または分離している、適切に非平行である経路を適切に横断することができる。
【００１５】
好ましくは、装置の全体の高さは、約６から２４インチ以上の範囲、より典型的には８から１５インチの高さである。装置の断面寸法は、底部からディスペンサ構成要素に向かって適切に増加する。あるいは、装置の全体の高さは、実質的に均一である。好ましくは、装置の垂直断面寸法は、約２インチから約６、７、８、９、１０または１２インチ、より典型的には、約２．５から５インチの範囲である。いずれにせよ、装置の寸法は適切に変化し得る。
【００１６】
別の代替態様では、個人用携帯型流体分配装置は、流体を保持するための容器構成要素と、容器構成要素に選択的に追加できる２つ以上の摂取可能な物質を保持するように構成されたディスペンサ構成要素とを備える。この構成では、装置は、複数の別個の流体を別々に貯蔵することができる。容器構成要素は、複数の別個の流体を貯蔵するために複数の区画に分割される。容器チャンバ壁は、容器構成要素を、複数の区画に分割する。容器チャンバは、容器構成要素の各区画を流体的に結合するための格納式下部をさらに備える。装置は、複数の別個の流体をユーザに独立して分配するように構成される。
【００１７】
追加の好ましいシステムでは、分配ユニットは、携帯型流体分配装置とともに使用するように構成され、摂取可能な物質の１つまたは複数のパケットを解放可能に組み入れるように構成されたディスクユニットを備える。１つの実施形態では、ディスクユニットは、複数の構成要素のディスクユニットである。ディスクユニットは、摂取可能な物質のパケットを収容するような形状の空洞を備える。ディスクユニットは、組み入れられた摂取可能な物質のパケットの１つまたは複数のインジケータをさらに備える。インジケータは、色、テキスト、または形状コード化され得る視覚的および／または触覚的インジケータであり得る。好ましくは、ディスクユニットは、各パケット上に形成された少なくとも１つの突起を介してパケットと確実に係合する。１つの実施形態では、ディスクユニットは、摂取可能な物質の１つまたは複数のパケットを含む。好ましくは、分配ユニットは、２つ以上のパケットを含む。さらに、パケットの少なくとも２つは、異なる摂取可能な物質を含み得る。異なる摂取可能な物質は、ユーザ選択に基づいて選択されるか、またはユーザデータに基づいて事前に選択される。
【００１８】
さらなる態様では、ディスクユニットは、上部ディスク部分および下部ディスク部分を備え、１つまたは複数のパケットは、上部および下部のディスク部分の間に組み入れられる。上部および下部のディスク部分は、解放可能に係合されるか、または永久に固定される。上部および下部のディスク部品は、機械的係合を備え得る。上部ディスクおよび／または下部ディスクは、１つまたは複数のパケットを解放可能に係合するように構成される。
【００１９】
１つの代替実施形態では、ディスクユニットは、各パケット上に形成された少なくとも１つの突起を介して１つまたは複数のパケットと確実に係合する。あるいは、ディスクユニットは、１つまたは複数のパケットをディスクユニットに圧入することを可能にする空洞を描く多起伏端縁を備える。
【００２０】
さらなる実施形態では、ディスクユニットは、流体分配装置と確実に係合するように構成される。分配ユニットはさらに、目視検査以外による識別のためにラベル付けされた１つまたは複数のパケットを含む。
【００２１】
好ましくは、ディスクユニットは、複数のパケット、３から１０のパケットを組み入れるように構成される。１つの実施形態では、ディスクユニットは、少なくとも５つのパケットを組み入れるように構成され、別の実施形態では、ディスクユニットは、少なくとも３つのパケットを組み入れるように構成される。
【００２２】
好ましい態様では、１つまたは複数のパケットは、それぞれくさび形状であり、より好ましくは、パイ形状のくさびとして形成される。各パイ形状のくさびは、丸い隅を有する。パケットは、ディスクユニットと係合するように構成された拡張フランジをさらに備える。ディスクユニットがパケットとともに装填または充填されると、各パケットのフランジが、ディスクユニットに着座する。パケットはまた、蓋または蓋部分を備える。別の実施形態では、蓋は水と接触して溶解する。蓋は人間が摂取可能であり得る。パケットはまた、溶解可能な物質を備える１つまたは複数の物質からなり得る。蓋およびパケットは、実質的に同じ物質で形成され得る。パケットは、ＰＥＴ、ＰＬＡ、またはＨＩＰＳを備える物質から作成され得る。あるいは、パケットは、生分解性ポリマおよび／または生物堆肥化可能ポリマを備える物質から作製される。摂取可能な物質へのアクセスを提供するパケットの蓋ストックは、剥離不可能、剥離可能、または穿孔可能であり得る。蓋ストックは、ＱＲコード、ロットコード、バーコード、または消費者が読取可能な情報をさらに備え得る。
【００２３】
１つの実施形態では、各パケットは、所望の開封を容易にする切込付きの蓋ストックを有する。分配ユニットは、分配装置の流体含有構成要素への蓋物質の侵入を阻止する。１つの実施形態では、パケットは、携帯型流体分配装置の流体含有構成要素への蓋物質の侵入を阻止するように構成される。好ましい実施形態では、１つまたは複数のパケットの蓋部分は、分配ユニットの流体含有構成要素への蓋物質の侵入を阻止するために、分配のために部分的にのみ切込を入れられる。ディスクユニットの回転の抑制を阻止するために、ディスクユニットが回転するときに、蓋部分の、切込のない部分が、パケットの先頭部分に配置される。
【００２４】
いくつかの実施形態では、ディスクユニットおよび／またはパケットは、パケットが組み入れられた領域に、傾斜縁部分を備える。縁部分は、ベベルまたは面取り構成を有し得る。適切には、傾斜縁部分は、組み入れられたパケットが、分配ユニットの回転の抑制を低減または阻止する。
【００２５】
特定の態様では、ディスクユニットおよび／または１つまたは複数のパケットは、リサイクル可能な物質から形成される。ディスクユニットおよび／または１つまたは複数のパケットは、ポリ乳酸またはポリエチレンテレフタレートから形成され得る。ディスクユニットおよびパケットはおのおの、実質的に同じ物質で形成される。ディスクユニットは、堆肥化可能な物質で作られ得る。
【００２６】
分配ユニットは、携帯型流体分配装置のチャンバ内に配置される。チャンバは、分配ユニットをチャンバに入れるための格納式ドアユニットを含み得る。分配ユニットは、分配ユニット内に組み入れられた１つまたは複数のパケットの開放を容易にするための装置を含む。装置は、レバー、カム、およびハンマを備える。装置は、分配モードにあるときに開き、飲料、貯蔵、またはブレンドモードにあるときに閉じるドアをさらに備え得る。ドアは、水が分配ユニットの貯蔵チャンバに入るのを阻止するばねによって作動されることが好ましいシールで閉じる。
【００２７】
いくつかの実施形態では、分配ユニットのディスクユニットは、ユーザ注文またはユーザデータに基づいて、摂取可能な物質のパケットが事前に装填されている。あるいは、分配ユニット自体にパケットが事前に装填されている。ユーザデータは、アンケート結果、実験室試験結果、遺伝子試験結果、および体液試験結果のうちの少なくとも１つを含む。ディスクユニットは、特定の時間に分配された摂取可能な物質の感知を可能にするＲＦＩＤチップをさらに備える。ディスクユニットはまた、再利用可能でもあり得る。好ましい実施形態では、ディスクユニットは、約０．０２０から０．０４０インチの厚さを有するシートストックから形成される。ディスクユニットは、約２から５インチの直径を有する。
【００２８】
さらなる態様では、流体分配装置を充填するための方法が提供される。この方法は、携帯型流体分配装置とともに使用するように構成された分配ユニットを提供することを備え、分配ユニットは、摂取可能な物質の１つまたは複数の分配可能なパケットを解放可能に組み入れるように構成されたディスクユニットを備え、ディスクユニットは、組み入れられた摂取可能な物質の分配可能なパケットの１つまたは複数のインジケータを備える。この方法は、ディスクユニットおよび１つまたは複数の分配可能なパケットのいずれかまたは両方に提供される１つまたは複数の知覚的インジケータに基づいて、ディスクユニットに１つまたは複数の分配可能なパケットを追加することをさらに備える。パケットは、その後、携帯型流体分配装置の流体含有構成要素に分配される。分配プロセスは、ユーザ選択に基づき得るか、または知覚的インジケータに基づき得、手動または自動で作動され得る。
【００２９】
使用中または作動時に、パケットまたはポッドに含まれる摂取可能な物質の一部または実質的にすべてが、装置の容器ユニット、たとえば、パケットまたはポッド内に含まれる摂取可能な物質の総重量の少なくとも約１０、２０、５０、６０、７０、８０、９０または９５％は、蓋ストックの引裂または除去などの作動時に装置に分配される。
【００３０】
特定の態様では、パケットまたはポッドの内容物の摂取可能な物質の内容物がアクセスされ、機械的作用のみによって装置の容器ユニットに分配される。特定の他の態様では、パケットまたはポッドの内容物の摂取可能な物質の内容物は、制御ユニットを使用するなどの自動システムを介してのみアクセスされ、装置の容器ユニットに分配される。さらに他の態様では、パケットまたはポッドの内容物の摂取可能な物質の内容物は、機械的作用と、制御ユニットの使用などの自動システムとの組合せによってアクセスされ、装置の容器ユニットに分配される。制御ユニットはまた、本明細書で論じられる様々なアプリと通信し得る。
【００３１】
別の態様では、携帯型流体分配装置とともに使用するように構成されたディスクユニットは、摂取可能な物質の１つまたは複数のパケットと、摂取可能な物質の消費のために選択された人または人のグループを識別するラベルとを含む。ラベルは、摂取可能な物質の内容物カテゴリを識別する。好ましくは、ディスクユニットは、摂取可能な物質の２つ以上のパケットを備える。ラベルは、ディスクユニットに貼付することも、ディスクユニットに組み込むこともできる。
【００３２】
好ましい態様では、パケットは、分配ユニットで使用するように構成された１つまたは複数の摂取可能な物質を備え、パケットは、検出可能にラベル付けされる。摂取可能な物質は、粉末または液体の形態である。液体は、濃縮された液体栄養素であり得る。１つの実施形態では、パケットは、色、テキスト、または形状コード化された視覚的および／または触覚的インジケータである１つまたは複数のインジケータを備える。パケットは、接点／ドット、ＱＲコード、またはＲＦＩＤチップを備え、分配装置が特定の時間に分配された摂取可能な物質を感知できるようにする。
【００３３】
各パケットは、サイズが異なる場合があり、１つの態様では、好ましくは、５、４、または３インチ未満の最長寸法を有する。別の実施形態では、各パケットは、２インチ未満の最長寸法を有する。さらに別の実施形態では、各パケットは、１．５インチ未満の最長寸法を有する。パケットは、様々な構成または形状を有し得る。好ましい態様では、パケットは、パケットの全寸法長さにわたってくさび形状を有し得る。別の実施形態では、パケットは、パケットの寸法長さの一部のみを通るくさび形状を有する。
【００３４】
代替実施形態では、パケットは、パケットの寸法長さの少なくとも一部に対して円筒形状を有する。あるいは、パケットは、パケットの寸法長さの少なくとも一部に対して４面形状（たとえば、正方形または長方形の断面）を有する。好ましい実施形態では、パケットは、分配ユニットの中央ディスク構造と係合するために、くさびのベース部分または蓋部分に対向する平坦な部分（たとえば、パイ形状のくさび）を備える。
【００３５】
１つの態様では、パケットは射出成形される。別の態様では、パケットは熱成形される。熱成形されたパケットは、１：１を超えるアスペクト比で形成され、より具体的には、１．５：１１のアスペクト比で形成される。熱成形されたパケットは、フランジとパケット底部との間の平均ドラフト角度が約５度未満で形成される。パケットは、好ましくは、約１から３０グラムの摂取可能な物質、より具体的には、約１から１２グラムの摂取可能な物質を含む。
【００３６】
さらなるシステムでは、摂取可能な物質の複数のパケットを備えるパッケージングユニットが提供される。パッケージングユニットは、スリーブ要素、ボックス要素、またはバッグ要素であり得る。パケットは、様々な構成のパッケージングユニットに適切に配置される、または組み入れられる。１つの態様では、複数のパケットが、交互する方位でパッケージングユニット内に保管される。別の態様では、パケットは、当接してパッケージングユニット内に組み入れられる。バッグなどの他の態様では、パケットは、緩く配置され得る。パッケージングユニットは、少なくとも２、３、４、５、６、７、８、９、１０、１２、１４、１６、１８、２０、２２、２４、２６、２８、３０、３２またはそれよりも多くのパケットを備え、より好ましくは、１４のパケットを備える。特定の態様では、パッケージングユニットは、４０、３５、３０、２５、２０、１５または１２未満のパケットを備える。
【００３７】
本発明の他の態様は、以下に開示される。
【図面の簡単な説明】
【００３８】
【図１】図１Ａ〜図１Ｆは、適切な分配装置を概略的に示す。図１Ｇおよび図１Ｈは、分配装置の分配構成要素の詳細図を示す。
【図２】図２Ａおよび図２Ｂは、図１Ａの線２−２に沿った図を示す。図２Ｃおよび図２Ｄは、図２Ａおよび図２Ｂの別個の飲用経路を示す。
【図３】図３Ａは、適切な分配装置の側面部分断面図を示す。図３Ｂは、ピン回転を備えた分配装置を示す。図３Ｃは、ボア回転を備えた分配装置を示す。図３Ｄは、同心回転を備えた分配装置を示す。
【図４】図４は、装置の調整可能な分配動作の概略図を示す。
【図５】図５は、装置の調整可能な分配動作の概略図を示す。
【図６】図６は、装置の調整可能な分配動作の概略図を示す。
【図７】図７は、飲用チューブを有するさらなる分配装置を示す。
【図８】図８は、分配装置を充填する方法を示す。
【図９】図９Ａは、パッケージされた摂取可能な物質を分配し、容器内の流体とブレンドする方法を示す。図９Ｂ〜図９Ｄは、パケットの開口部の断面図を示す。
【図１０】図１０Ａ〜図１０Ｇは、パケットと、パケットがその中に組み入れられたディスペンサ構成要素とを示す。
【図１１】図１１はディスペンサ構成要素内に組み入れることができる、パッケージされた摂取可能な物質（たとえば、ポッド）の例示的な概略上面図である。
【図１２】図１２Ａ〜図１２Ｆは、例示的な熱成形パケットを示す。
【図１３】図１３Ａ〜図１３Ｊは、例示的な射出成形パケットを示す。
【図１４】図１４Ａ〜図１４Ｆは、第１の例示的な実施形態による熱成形パケットおよび分配動作を示す。
【図１５】図１５Ａ〜図１５Ｆは、第２の例示的な実施形態による熱成形パケットおよび分配動作を示す。
【図１６】図１６Ａ〜図１６Ｄは、第３の例示的な実施形態による熱成形パケットおよび分配動作を示す。
【図１７】図１７Ａ〜図１７Ｄは、第４の例示的な実施形態による熱成形パケットおよび分配動作を示す。
【図１８】図１８Ａ〜図１８Ｄは、第５の例示的な実施形態による熱成形パケットおよび分配動作を示す。
【図１９】図１９Ａ〜図１９Ｃは、第６の例示的な実施形態による熱成形パケットおよび分配動作を示す。
【図２０】図２０は、第７の例示的な実施形態による熱成形パケットおよび分配動作を示す。
【図２１】図２１Ａ〜図２１Ｄは、第８の例示的な実施形態による熱成形パケットおよび分配動作を示す。
【図２２】図２２Ａ〜図２２Ｄは、第１の例示的な実施形態による射出成形パケットおよび分配動作を示す。
【図２３】図２３Ａ〜図２３Ｄは、第２の例示的な実施形態による射出成形パケットおよび分配動作を示す。
【図２４】図２４Ａ〜図２４Ｄは、第３の例示的な実施形態による射出成形パケットおよび分配動作を示す。
【図２５】図２５Ａ〜図２５Ｄは、第４の例示的な実施形態による射出成形パケットおよび分配動作を示す。
【図２６】図２６Ａ〜図２６Ｄは、第５の例示的な実施形態による射出成形パケットおよび分配動作を示す。
【図２７】図２７Ａ〜図２７Ｄは、第６の例示的な実施形態による射出成形パケットおよび分配動作を示す。
【図２８】図２８Ａ〜図２８Ｄは、第１０の例示的な実施形態による射出成形パケットおよび分配動作を示す。
【図２９】図２９Ａ〜図２９Ｄは、第８の例示的な実施形態による射出成形パケットおよび分配動作を示す。
【図３０】図３０Ａ〜図３０Ｄは、第９の例示的な実施形態による射出成形パケットおよび分配動作を示す。
【図３１】図３１Ａ〜図３１Ｄは、第１０の例示的な実施形態による射出成形パケットおよび分配動作を示す。
【図３２】図３２Ａ〜図３２Ｆは、飲用経路および分配装置の対応するキャップを示す。
【図３３】図３３Ａ〜図３３Ｂは、摂取可能な物質のパケットのパッケージングユニットを示す。
【図３４】図３４Ａ〜図３４Ｆは、ロータ内に組み入れられたパケットのパッケージングユニットを示す。
【図３５】図３５は、底部流体追加容器を示す。
【図３６】図３６は、底部流体追加容器を装備された分配装置を示す。
【図３７】図３７Ａ〜図３７Ｃは、乳児用調製粉乳を分配するために構成された分配装置を示す。
【図３８】図３８Ａ〜図３８Ｄは、乳児用調製粉乳を分配するために構成された分配装置を示す。
【発明を実施するための形態】
【００３９】
上記で論じたように、任意選択で、１つまたは複数の他の摂取物とともに流体を便利に投与することができる新しい装置および関連するシステムおよび方法が提供される。本装置は、流体温度、ガス含有量（たとえば、Ｎ２、ＣＯ２、通気）、および健康サプリメント、香味料、飲料などの様々な摂取物な内容物の均一性の程度を含む、貯蔵流体の様々な特性を操作することができる。
【００４０】
本明細書で使用されるように、具体的に述べられていないか、文脈から明らかでない限り、「約」という用語は、当技術分野における通常の許容範囲内、たとえば平均の２標準偏差内であると理解される。「約」は、記載された値の１０％、９％、８％、７％、６％、５％、４％、３％、２％、１％、０．５％、０．１％、０．０５％、または０．０１％以内と理解できる。文脈から別段明確ではない限り、本明細書で提供されるすべての数値は、「約」という用語によって修正される。
【００４１】
好ましいシステムは、１）１つまたは複数の流体を保持するためのフラスコまたは容器構成要素、２）カスタムの使い捨てサプリメント（摂取物）を受け入れ、それらの摂取物を容器内の流体に排出するように構成され得る分配ヘッドまたは構成要素、３）個別のポッド、またはブリスターパックなどのパッケージに、指定された量の各サプリメント（摂取物）を適切に含み、たとえば、最適な時刻の投与を容易にするために、ロータの周りに順番に、または他の構成で適切に配置された、システムの特定のユーザのためのサプリメントの所望の、日々のまたは他の定期的またはスケジュールされたレジメンを集合的に備え得る、たとえば、使い捨ての回転可能なサプリメントディスクまたはロータのようなロータ構成要素、のうちの１つまたは複数を含み得る。別の実施形態では、摂取可能な物質の投与は、フラスコ（容器構成要素）と連通するアプリケーションによって容易になるであろう。このアプリは、パーソナルコンピュータ、モバイルデバイス（モバイル電話、ｉＰａｄ（登録商標）などのタブレットを含む）、ウォッチング、フィットネストラッカなどに展開され、ユーザに対して、指定された時間に水分補給、サプリメントの摂取を行い、たとえば、個人の運動フィットネストラッカアプリやモバイル電話との統合、またはユーザ入力によって検出された身体活動に対する水分補給の推奨を修正するようにリマインダを提供する。
【００４２】
そのようなシステムおよび装置は、他のアプローチに勝る多くの利点を提供することができる。たとえば、本システムおよび装置は、起床時、および午前中および午後中の概日リズムの小休止時に、刺激効果を有する栄養素（摂取物）（たとえば、ビタミンＢ群、アスタキサンチン）が、投与されることを可能にする。本システムおよび装置はまた、Ｍｇまたはアミノ酸トリプトファンなどの鎮静効果を有する栄養素（摂取物）を就寝前に投与することを可能にする。本システムおよび装置は、水溶性栄養素が、最もよく吸収される食間に投与され、脂溶性栄養素が脂肪含有食とともに投与されることを可能にするであろう。これらのシステムおよび装置はさらに、強力で再充填可能な抗酸化剤であるが３０分で半減するビタミンＣを１日にわたって分割して投与することを可能にし、胃の苦痛のリスクを低減しながら１日に投与されるｍｇあたりの有効性を最大化する。多くの投与の過程でレジメンを分割することで、特定の成分の有効レベルに共通する投与量関連の異臭を低減することもできる。
【００４３】
この時間帯に最適化されたディスペンサ構成要素（たとえば、摂取可能な物質を含む１つまたは複数のポッドで充填されたロータ）により、個人は、夜に、バレリアンまたはメラトニンのような睡眠誘導剤を服用するなど、最も有益な時間帯に特定の機能性栄養素／添加物をターゲットとすることができる。本システムおよび装置はまた、栄養素が１日を通してより一貫して送られることを可能にし、潜在的に、肝臓および腎臓への負担を軽減する。最後に、いくつかの栄養素は、結合部位、吸収メカニズム、または体内の他の経路をめぐって競合するため、または他の理由で、同時に与えられるべきではない。そのようなシステムは、それらの栄養素が異なる時間に投与されることを可能にするであろう。（たとえば、アプリ内、インターネット上、装置内、装置に（ワイヤまたはワイヤレスで）接続されたアクセサリ内の）アルゴリズムは、関連情報を収集して、推奨事項を作成し、最大の効力／最小の悪影響のために、投与量を分散する際に上記の要因を考慮する。
【００４４】
容器構成要素
好ましい実施形態では、容器構成要素（本明細書ではフラスコまたはフラスコ構成要素とも呼ばれる）は、フラスコ構成要素内に保持された流体について、１、２、３、４、５、６、８、１０、１２時間、またはそれ以上の時間のように長期間にわたって確立された温度（たとえば、室温より上または下）を実質的に維持するように機能できる一次管状体を適切に有する。１つの実施形態では、フラスコは、断熱のために層間に真空を備えた二重壁または三重壁の３１６ステンレス鋼から作製される。好ましい実施形態では、フラスコは、注入時に視覚的表示を提供するガラスでできている。ガラスが使用される場合、ハニカムゴムライナなどを使用して、断熱材用のエアポケットを減らし、衝撃吸収を提供することができる。プラスチック、またはＢＰＡフリーのプラスチックが、特定のアプリケーションのために使用され得る。装置の飲用経路は、ＢＰＡなどのエストロゲン活性（ＥＡ）化学物質への露出を低減するために、プラスチックを含まないままである。ガラス以外の物質を使用して、充填物の目視検査を行うこともできる。
【００４５】
好ましい実施形態では、フラスコ構成要素は、そのような視覚的検査を可能にするフラスコ内の透明窓などのフラスコ構成要素内の流体のレベルを決定するための目視検査を可能にする。代替実施形態では、フラスコは、フラスコ構成要素の流体注入レベルの視覚的または他の出力、たとえば、注入中および飲用中の注入レベルの視覚化を可能にする側面に配置された発光ダイオード（ＬＥＤ）のスタックを含む（図１Ａを参照）。ＬＥＤから導出される光は、容器の側面に直線状に配置されたダイオードで発生するか、またはベースユニットで発生し、光ファイバなどを使用して容器の側面の発光位置に「パイプ移送」され得る。ＬＥＤの色の明るさも、必要に応じて、調整可能であり得る。点滅ライト、または、それに加えてレベル表示や、点滅ライトリングのような視覚的表示を含む出力は、１）水分補給が提案される場合、２）サプリメントの次の投与を摂取する必要がある場合、または３）ユーザに他の通知が望まれる場合に提供される。さらに、異なる色が、異なる表示を提供しようとしている場合がある。たとえば、青色は、水分補給または飲用の提案を示すために出力され得、緑色は、サプリメントのために出力され得、赤色は、緊急の飲用／水分補給のリマインダのために出力され得る。
【００４６】
特定の実施形態では、フラスコ構成要素は、ロータ構成要素が分配ヘッド内で自由に回転することを可能にし、分配ヘッド、フラスコ、およびロータの間にシールを固定するために、分配ヘッド内のレバークランプのアンカポイントとして機能する、フラスコの円周の外側にある注ぎ口／回転式飲用チューブを備え得る。
【００４７】
特に、分配ヘッドは、回転運動によって分配パケットとのシールを作成し、ディスクをシールから持ち上げて回転を可能にする（図１Ｇ〜図１Ｈを参照）。このシステムは、好ましくはシリコーン（白金硬化）で作製されたシール（たとえば、Ｏリングまたは他の適合シール構成要素）を適切に利用して、フラスコ、分配ヘッド、ロータ、分配カラー、フラスコの底部キャップ、およびフラスコの交換可能な構成要素との間に堅固なシールを提供する（以下で説明）。シールはまた、摂取可能な物質のポッドで充填されたロータ構成要素を収容するために、または分配ヘッドに直接充填されたポッドを収容するために調整可能であり得る。
【００４８】
特に好ましい構成では、フラスコは、取り外し可能な底部／バッテリパック／プロセッサを有する。この部分の先端も、適切に真空絶縁ステンレス鋼であり、シールで固定され得る。この部分は、高電力密度の充電式バッテリパック（好ましくはリチウムイオンであるが、たとえば、分配装置の様々な機能のすべてまたは個別に電力を供給することができる別の消費者安全バッテリと置き換えることができる、たとえば１）液体レベル／飲用時間を示すＬＥＤライト、２）プロセッサ、３）Ｂｌｕｅｔｏｏｔｈ（登録商標）無線など、４）ロケータ／ファインダ信号、５）交換可能な構成要素、６）セル電話、ＧｏＰｒｏ（登録商標）などの充電外部デバイス、７）フラスコ内の水を消毒するために使用される任意選択の紫外線Ｃ（ＵＶＣ）ライト、８）泡立て器（たとえば、牛乳泡立て器）、および９）加熱デバイスなどの電源を適切に含む。このバッテリ部分は、市販のマイクロＵＳＢまたはＵＳＢ−Ｃコネクタで適切に充電できる。ＵＳＢ−Ｃコネクタは、電荷を受け取るだけではなく、格納されているピグテールコネクタを介して、電荷を供給し、モバイル電話や他のモバイルデバイスを充電することもできる。このベース部分を取り外して、フラスコとバッテリユニットとの間に一連の交換可能な構成要素を取り付けることができる。
【００４９】
第１の交換可能な構成要素は、高速で動作するが、図１Ａに示すように、様々な製品の有効成分の剪断／変性を回避しながら、粉末または液体の完全な混合を可能にする穏やかなブレードを備えたミキサ構成要素（たとえば、ボルテックスミキサまたはブレンダ）であり得る。ミキサ構成要素は、フラスコの下で他の構成要素と積み重ね可能なように格納式ブレードを備え得る。あるいは、１つの実施形態では、ミキサ構成要素は、交換可能な構成要素がフラスコの底部に追加されない構成でフラスコの底部に取り付けられ得る。この構成は、装置が、その中に配置されたブレンダ内に分配ユニットおよび容器構成要素を含む図１Ｅに例示的に示される。
【００５０】
第２の交換可能な構成要素は、図１Ａに示されるように、フラスコの底部から熱を引き出す固体冷却器であり得る。この冷却器は、不十分に冷却された液体を、好ましい、より低い温度に冷却することができる。ｄＢ出力用に最適化された小さなファンを使用して、冷却器の高温側から熱が放出する。
【００５１】
別のオプションの構成要素は、図１Ａに示されるように、フラスコの底部に面するステンレス鋼などの金属表面を適切に有するディープフリーズヘッド（たとえば、冷凍庫／チラー）であるが、この場合は、フラスコ内の流体と接触しているステンレス鋼部分は、真空絶縁されていない。あるいは、フラスコのガラス底部の破損を防ぐためにゴム表面が提供される。むしろ、この構成要素は、ステンレス鋼の表面との接触を介してフラスコ内の流体を冷却するように設計される。ディープフリーズヘッド内には、水チャンバがある。冷凍庫に入れると、冷凍庫のヘッド内の水は氷に相変化する。ディープフリーズヘッドは、その後、フラスコ内の液体と密接に接触して固定され、流体内の熱は、ディープフリーズヘッド内の氷が溶けると生じる相変化を引き起こす。この相変化は、より軽い重量で、冷たい鋼の固いブロックよりも多くのカロリを吸収する。複数のディープフリーズヘッドを冷凍庫に入れて、日／週を通じて交換され得る。代替実施形態では、水を注入された交換可能な凍結可能なチラーインサートが、フラスコに挿入され得る。インサートは、ログをフラスコの軸方向中央に配置し、ロータのブレードを避けて、チラーインサートによるロータのブレードへの損傷を阻止する上部部分を有する。
【００５２】
別の交換可能な構成要素は、図１Ａに示されるように、ピル区画であり得、その空隙は、手動で注入されるか、または毎月の連続性プログラムでユーザへ供給され得る２、３、または４、またはそれ以上の部分分割された使い捨てカップを受け入れることができる。ピル区画は適切に、１）処方薬または非処方薬、または水性投与に適さないサプリメント（特定の医薬品、魚油ゲルキャップなど）に対応し、２）システムの一部として提供されていない異なるブランドのサプリメントを引き続き使用したい個人に対応し、３）ロータシステムが収容できるよりも多くのサプリメントを摂取する個人に対応する。空の再利用可能で積み重ね可能なカップを提供して、ユーザがサプリメント／医薬品に沿って１週間分のタグを事前に記入することが可能となる。
【００５３】
別の交換可能な構成要素は、ロータの個々のウェルに適合しない可能性があるタンパク質粉末または他の大量の粉末を適切に収容するタンパク質粉末構成要素であり得る。さらに別の交換可能な構成要素は、ユーザの好みのオーディオを出力することができる強化されたスピーカであり得る。スピーカはまた、スケジュールされた飲用サイクルまたは他のユーザの好みのスケジュールに関するアラートまたはアラームをユーザに出力するようにプログラムされ得る。さらに、スピーカは上部および下部ディスクを備え得、音響を改善するために先端ディスクおよび底部ディスクの間のスペースを開くスパイラルレールによって側面に対向され得る。
【００５４】
上記の構成要素は、適切には、先端および底部に、ねじ留めされた、または同様のアタッチメントを有し、構成要素を通る電気接点を用いて、任意の順序で積層され得る。単純な底部キャップを最下部部分に移動して、装置を完成させるか、またはそのベースを提供し、フラスコの傷のない絶縁底部を提供し得る。
【００５５】
分配構成要素
好ましい実施形態では、分配ヘッドまたは構成要素（たとえば、ディスペンサ構成要素）は、好ましくは、１）開いて、少なくとも１つまたは複数のパケットを収容するために図１０Ｃ〜図１０Ｄおよび図１０Ｇに例示的に示されるように、ロータの周りの異なる位置に配置された、たとえば３から１０の可変数の空洞を有するロータを受け入れ、２）ロータを回転させ、分配のために選択された所望されるサプリメントまたは飲料に基づいて配置させ、３）くさび形状のポッドの底部を密封する蓋ストック／フィルムが、取り付けられた蓋ストックの少なくとも一方の側面を取り付けたままにする上向きに動くストライカ、ハンマ、またはボールによって突き刺されるように構成される。蓋ストックの他の代替の開口方法は、図面を参照して以下で説明される。ロータ空洞に組み入れられたポッドの内容物がフラスコ内の流体に解放されると、フラスコを手動で振ったり、ブレンダ構成要素を使用してブレンドしたりする準備が整う。
【００５６】
より具体的には、特定の構成では、分配ヘッドは、ねじ留めまたは同様のアタッチメントを介するなどしてフラスコに固定される下部部材（図１Ｇにおける１４ａ）を適切に備え、ロータが半径方向に回転することを可能にする中央の上向きのピボットポイント（図１Ｇにおける１４ｂ）と、ロータと分配ヘッドとの間のシール（図１Ｇ〜図１４Ｈにおける１４ｃ）と、レバーが圧力を加え、ロータをシールに密封する飲用位置、ロータがシールと接触しているが自由に回転する中間（非密封）位置、および飲用チューブ／レバーが分配ヘッドの中心に向かって押し込まれ、図３Ａに示すように、圧力を加えてすべての内容物を偶発的なこぼれから密閉する第３の位置を有する複数の位置（たとえば、３つの位置）レバー／飲用チューブとを有する。しかしながら、飲用チューブなしで飲用経路が提供される他の構成が企図される。以下、図面を参照してこの構成について説明する。
【００５７】
ディスペンサ構成要素はまた、分配ヘッド内に配置された使い捨てロータおよびポッドと係合する先端部材（図１Ｇにおける１４ｄ）を適切に有する。ロータヘッドのこの先端部材は、好ましくは、ロータを前進させるときのてこの作用のために、ヘッドの周りに半径方向にタブ／戻り止めを有する。先端にはブレード／壁（図１５Ｅ〜図１５Ｆにおける１４ｇ）もあり、ロータにおけるポッド間のスペースを占める個々のチャンバを作成する。この先端ヘッドは、好ましくは、ユーザが、分配ヘッド内に逆様に適切に配置されたロータ内に組み入れられた各パケットの底部に印刷された内容物（たとえば、内容物標識）を見ることができる１つまたは複数の窓を有する。この先端部材は、ロータと同軸上で適切に回転し、これにより、好ましいサプリメントが分配ステーション内（たとえば、ポッドがストライカなどによって開かれ得るディスペンサ構成要素内の位置）にあるようにロータを配置することができる。分配ステーションまたは位置に配置されると、ユーザはレバーを穿刺位置に動かし、ストライカ（たとえば、ボール形状など）を上向きに回転（移動）させ、パケットの下側において、蓋ストックの部分を鈍く裂いて開き（たとえば、蓋ストックは、レーザで事前に切込を入れられている）、内容物（たとえば、粉末または液体）を流体に解放する。
【００５８】
特定の実施形態では、デバイスの適切な機能にとって、１）飲用注ぎ口が中央に格納されるときにフラスコが完全に密閉されねばならないこと、２）粒子状物質がパケット／蓋ストック／シール界面に詰まっている場合でもロータを回転させることが容易であること、３）ストライカの穿刺ブレード（要素）がパケットを完全に開くが、結果として得られる飲料に蓋ストックの断片を残さないこと、４）洗浄中、穿刺ブレード（要素）のユーザの指への露出を制限すること、５）飲用チューブが密閉／閉位置にあるときにロータが密閉され、ロータが置かれているチャンバへの移動を（たとえば、打撃ハンマまたはストライカを動かすのと同じメカニズムによって作動される、流体と蓋ストック物質との間の相互作用を阻止するシール付きの関節式ドアを使用して）阻止すること、６）フラスコが飲料間で容易に洗浄できること、７）分配ヘッドが容易に洗浄できること、および／または、８）分配ヘッドが、サプリメントのパケット間で適度な量以上の相互汚染を許容しないことが重要である。
【００５９】
ロータユニット
特に好ましい実施形態では、使い捨てロータシステムは、中央ディスク構造を含むいくつかの構成要素と、蓋ストック（たとえば、プラスチック、ホイル、紙またはそれらのいくつかの組合せ）で密封された個々のパイ形状のくさび型熱成形プラスチックポッドと、オプションのＲＦＩＤチップと、たとえば、ユーザの名前、バーコード、消費期限、内容物カテゴリ、または他の種類のインジケータ、および好ましくは最大で３、４、５、６、７、または８個、特に３および５個のロータ内の個々の製品（ただし、その数は、たとえば３から１６までのような適切な範囲にあり得る）によるカスタムラベルとを備える。カスタムラベルは、ディスク構造に貼り付けられるか、ディスク構造に統合され得る。
【００６０】
１つの代替実施形態では、中央ディスク構造は、たとえば直径約１〜４インチ、好ましくは、直径２インチを含む直径約１．５〜３インチの２つのスナップ式熱成形ディスクを適切に備える中央「サンドイッチ」ディスク構造であり得る。先端ディスクは先端が適切に平坦であり、ラベルを受け取る。先端ディスクの下側には、くさびを取り外し可能に所定の位置に保持するために、くさびのノッチ（たとえば、ブリスタ、パケットなど）と係合する支柱があるのが好ましい。この先端ディスクの支柱は、恒久的な方式で底部ディスクに適切にスナップする。底部ディスクの先端は、先端ディスクと同様の支柱を有し、くさびとも係合している。先端および底部がともにスナップされると、ディスクは、複数（たとえば、３、４、５、６、７、８個またはそれ以上）の開口部または空洞を有し、ユーザの仕様に応じて摂取可能な物質で満たされた複数のポッドまたはパケット（たとえば、くさび）を受け取る。言い換えれば、支柱は先端ディスクと底部ディスクとの間に間隔を提供し、くさびまたはポッドがそれらの間に挿入される。１つの実施形態では、挿入を容易にするために、上部ディスクは下部ディスクよりも大きな半径（たとえば、約１／８インチ大きい半径）を有し、下部ディスクは、下向きのフレア（たとえば、約１、２、３、３、５または４インチまたはそれ以上の半径）を有し、ディスクの先端と底部との間に大きなギャップを作成し、より大きく、より好ましい挿入ターゲットを作成する。
【００６１】
好ましい実施形態では、ディスク構造は、パケットが組み入れられた複数の空洞を有する単一のユニットとして形成される。ディスク構造は、各パケット上に形成された少なくとも１つの突起を介してパケットと係合し得る。ロータは、好ましくは、約２０または４０ミルの厚さを有する平坦なシートストックから形成されるが、他の厚さおよび構成物質も適切であろう。ロータにおける空洞は、パケットまたはポッドを収容している間、熱／冷膨張を可能にするために特定の許容誤差で形成される。ロータはまた、溶解可能、リサイクル可能、または堆肥化可能な物質でできていてもよく、再利用可能であり得る。言い換えれば、パケットの１つが流体に内容物を分配するために開かれると、ロータは新しいパケットで再装填または再充填され得る。
【００６２】
別の代替実施形態では、ディスク構造は、突起の必要性を排除する。代わりに、ロータは、ポッドを所定の位置に保持するためにポッドの圧入または圧縮フィットを可能にする多起伏端スロットまたは空洞で形成される。さらに、ポッドは、ベベルまたは面取り構成を有する傾斜縁部分を有し得る。さらに、ディスク構造またはロータは、ポッドの全体的なサイズを大きくすることでリサイクル性を容易にし、リサイクル施設でユニットが火格子から落下するのを阻止する。
【００６３】
さらに、ロータには、収集された様々な情報に基づいてポッドまたはパケットが事前に装填され得る。たとえば、ロータは、アンケート結果、実験室試験結果、遺伝子試験結果、体液試験結果（たとえば、血液、尿、唾液）などに基づいて事前に装填され得る。可変数の空洞を有するロータが使用され得、具体的には、パケットは、異なるロータ構成に組み入れられ得る。
【００６４】
特定の構成では、個々のくさび形状のポッドまたはパイ形状のくさびパケット（たとえば、熱成形または射出成形されたプラスチックウェル）に、様々な粉末または濃縮液体栄養素または飲料を満たし、手動または自動システムのいずれかによって密封される。注入されたパケット内の様々なサプリメント飲料の在庫は、その後、手動挿入のために、または、ピックアンドプレースタイプのロボットを介して、利用可能である。特に好ましい構成では、くさび形状のポッドは、一般に図１０Ｃおよび図１１に示されているように、中央のディスク構造と係合する、先の尖った端部（たとえば、適切には、約５／８インチのような約１インチ未満）に均一の実質的に平坦なフランジ部分を適切に有する。特定の構成では、パイ形状のくさびにおける２つの対向するノッチが、ディスク構造における支柱と係合し、くさびを所定の位置に保持するが、エンドユーザは、毎日の変動性／好みに基づいて、サプリメントの場所を交換したり、サプリメントを追加または削除したり、飲料水を追加または削除したりできる。上記で論じたように、パイ形状のくさびは、平坦なディスクまたはロータに挿入され、突起によって所定の位置に保持されるか、または多起伏端空洞を有するディスク構造に圧入され得る。
【００６５】
使い捨てロータは、好ましくは、装置がロータの内容物または内容物カテゴリを識別できるようにする発注書番号（または他の識別情報）に対応する固有の注文識別を備えたＲＦＩＤを有する。これは、その後、以下でさらに議論されるように、追跡およびメッセージングのためにアプリに通信または送信され得る。
【００６６】
摂取可能な物質のパケット／ポッド
特定の好ましい実施形態では、各パケットは、１つまたは複数の摂取可能な物質を備え、携帯型流体分配装置の分配ユニット内に組み入れられる。パケットはおのおの、くさびとして、より具体的には、パイ形状のくさびとして形成され得る。しかしながら、本開示はそれに限定されず、他のパケット形状が、図面を参照して以下で論じられる。各パケットは、ドット、いぼ、または同様の形状として形成された少なくとも１つの突起を備えるが、任意選択で、３つの突起を備え、分配ユニットのディスク構造と係合する。別の実施形態では、各パケットは、パケットの外側の周りのリングに形成された単一の突起を備え得る。特に、パケットがロータに充填または装填されると、ロータは、パケットのフランジと、パケットの突起との間に位置し、それらの間の確実な係合を提供する。より特定の実施形態では、フランジから突起までの距離は、ロータの寸法厚さよりも約２千分の１インチ小さくてもよい。
【００６７】
一般に、好ましいシステムの場合、ロータユニットの厚さは、１）（ロータが載っている）ポッドの下部リップからポッド突起（たとえば、図１０Ａ、図１０Ｃ、および図１０Ｄに示されるドット状またはいぼ状の特徴）の底縁までの距離よりも大きく、２）（ロータが載っている）ポッドの下部リップからポッド突起（たとえば、図１０Ａ、図１０Ｃ、および図１０Ｄに示されるドット状またはいぼ状の特徴）の最も厚いまたは最も伸びる点（たとえば、中点）までの距離よりも短い。そのような構成によって、ロータの厚さは、ポッド突起（たとえば、図１０Ａ、図１０Ｃ、および図１０Ｄに示されるドット状またはいぼ状の特徴）の下面に部分的に位置する。また、そのような構成によって、ポッドの下部リップおよびポッド突起（たとえば、図１０Ａ、図１０Ｃ、および図１０Ｄに示されるドット状またはいぼ状の特徴）は、ロータの効果的な圧入係合を提供することができる。
【００６８】
各パケットは、色、テキスト、または形状コード化された視覚的または触覚的インジケータを含み得る。他の種類の検出可能なラベルも使用され得る。これらのラベルまたはインジケータは、内容物または内容物のカテゴリの通知をユーザまたはアプリに提供する。たとえば、パケットまたはパケットのグループは、連絡先／ドット、ＱＲコード、またはＲＦＩＤチップを備え得、これにより、分配装置は、特定の時間に分配される摂取可能な物質を感知することができる。ＱＲコードまたは他のラベル（たとえば、ロットコードや、バーコードや、製品名、有効期限などの消費者読取可能な情報）は、パケットの底部、パケットの側面のいずれか、または摂取可能な物質との直接的および間接的な接触に対して安全なインクを使用して、パケットの蓋ストックに適用され得る。あるいは、パケットは、蓋ストックと、その底部またはドームとの両方にラベル付けされ得る（たとえば、その底部はドーム形状であり得る）。
【００６９】
パケットまたはポッドは、約１から３０グラム以上の摂取可能な物質、好ましくは最大約８、１０または１２グラム、特に８または１２グラムを含むように形成される。上記のように、摂取可能な物質は、粉末形態および／または液体（たとえば、濃縮液体栄養素またはサプリメント）であり得る。各パケットの最長寸法は約６、５、４、または３インチ未満であるが、２または１．５インチ未満にすることもできる。さらに、パケットは、熱成形を含む様々な方法によって形成され得るか、または射出成形され得る。熱成形される実施形態では、フランジからパケットの底部（平坦またはドーム形状のいずれか）までの平均ドラフト角度は約５度である。しかしながら、ドラフト角度はパケットの底部近くでカーブ／丸められ、ポッドの製造中にパケットの底部のコーナの周りに物質が均一に流れ、各パケットの最大立方体積が可能になる。
【００７０】
パケットの別の構成要素は、１つまたは複数の摂取可能な物質へのアクセスを提供する蓋ストックである。蓋ストックは、剥離不可能、剥離可能、穿孔可能、または少なくとも１つの場所で切込を入れるように形成され得る。たとえば、図１１に示されるように、蓋ストックが２つの側面に切込を入れられた場合、保持された側面（たとえば、穿孔または切込のない側面）は、パケットが摂取可能な物質を分配するために穿刺または開放されたときに物質がロータの回転を妨げるのを阻止する（たとえば、ディスクユニットの回転の抑制を阻止する）ために前縁にある。他の実施形態では、蓋ストックは、一方の側面において、あるいはその中心を通って切込を入れられ得る。さらに別の実施形態では、蓋ストックは、蓋ストックの中心から放射状に広がる切込で部分的にのみ切込を入れられ得る。
【００７１】
蓋または蓋ストックおよびパケットは、リサイクルを容易にするために実質的に同じ物質から作製され得る。たとえば、蓋ストックおよびパケットは、ＰＥＴ、ＰＬＡ、ＨＩＰＳ、生分解性ポリマ、生物堆肥化可能ポリマ、溶解性物質などから作製され得る。好ましくは、蓋ストックは、強度の低下を可能にし、バリア特性を維持し、そしてリサイクル性を容易にする層から構成される。たとえば、層は、強度層、結束層、バリア層、およびシールを含み得る。蓋ストックがレーザによって切込を入れられると、汚染、湿気、空気などがパケットに入るのを防ぐために、バリア層は無傷の（切込のない）ままである。バリア層は、切込を入れられた部分で蓋ストックに穴を開けたときに簡単に穴を開けられるほど弱い場合がある。
【００７２】
特定の実施形態では、パケットは、パッケージングユニットに保管され、ユーザに提供される。パッケージングユニットは、蓋ストックを突き刺すことなくパケットを保管することができるスリーブ、ボックス、バッグ、または同様の要素であり得る。たとえば、パケットは、交互する方位または方向（たとえば、フランジからフランジであり、先端から底部ではない）でパッケージングユニット内に保管され得るか、または当接する方式で組み入れられ得る。任意の数、たとえば、６、１０および１４個のパケットを、各パッケージングユニットに保管できる。１つの構成では、パッケージングユニットは、７または１４個のパケットを収容して、毎週のパッケージングオプションを可能にする。別の実施形態では、パケットは、パッケージングユニット内に装填された状態で保管される。言い換えれば、パッケージングユニットは、ロータ内に組み入れられたパケットを収容する。このパッケージングユニットは、図面を参照して以下でさらに説明される。別の代替実施形態では、パッケージングユニットは、バリア特性を強化するためにバリアフィルムで包まれ得る。
【００７３】
時間最適化された配合物
製品の吸収、効果、そして最終的には性能を最適化するために時刻を考慮に入れ、サプリメントの正の側面を強調し、負の効果を減少させるサプリメント補給方法も提供される。これにより、適切なコンプライアンスを確保するために１日１回の投与を含む多くの妥協が行われるサプリメントプログラムが簡素化される場合よりも、実質的に優れた結果が得られる。これにより、どの成分および各成分の量だけではなく、潜在的に価値のある配合物における各成分が、日中にいつ投与され、他の食品やサプリメントとともに投与されるかについても正確である配合物の追加量を作成することができる。
【００７４】
この方法の利点の例は、以下を含む。
覚醒／睡眠時間と概日リズムの高低に応じて刺激成分を与えることによってエネルギを最適化すること、
就寝前に抑制性の栄養素と成分（Ｍｇ、トリプトファン、メラトニンなど）を与えることにより、睡眠の開始と持続時間を最適化すること、
脂肪が摂取される可能性が高い食事時間に脂溶性ビタミンをターゲットとすること、
ビタミンＣのような短い半減期の栄養素を分割投与し、２４時間に摂取された特定の量の栄養素に対して薬物動態曲線の下のより多くの領域を保証すること、
睡眠中から睡眠直前まで最もよく作用する栄養素を与えること、
結合部位や吸収メカニズム、または他のいくつかの手法で競合する栄養素をずらすこと、
共因子を含む、互いに助け合う栄養素の同時投与（たとえば、カルシウムは最適な吸収のためにビタミンＤを必要とし、鉄はビタミンＣの存在下で最もよく吸収される）すること、
一度に高用量のピル／栄養素を服用することによる、腎臓、肝臓、および細胞レベルでの処理負荷を低減すること。
【００７５】
時間最適化サプリメント補給アプリ
本システムおよび装置は、Ｂｌｕｅｔｏｏｔｈ（登録商標）または他の種類の接続を介して水分補給システムと通信する特別に設計およびプログラムされたアプリケーション（アプリ）を利用するために、電子機器と、アルゴリズムと、データベースと、サードパーティデータと、全地球型測位システム（ＧＰＳ）と、ワイヤレステレフォニーなどの通信システム、ショートメッセージサービス（ＳＭＳ）、電子メール、接続されたスマートウォッチ、フィットネストラッカ、および電話のネイティブ機能性（たとえば、ジャイロスコープ、温度センサ、モーションセンサ、カメラなど）のような通信システムとの使用から利益を得ることができる。アプリは、携帯型流体分配装置のアクティブな画像を出力することができ、たとえば、以下を行うことができる。
【００７６】
１）ユーザの性別、年齢、身長と体重、民族性、トレーニングを含む報告された一般的な活動レベル、摂取した他の飲料の毎日のパターン、フィットネス目標、体重目標、医療的懸念、身体的制限、アレルギおよび食事制限、および味の好き嫌いに基づいて、個々のユーザの毎日のサプリメントおよび水分補給のプログラムをカスタマイズする。
【００７７】
２）各日のルーチンは、その日の活動のログ、（ステップカウンタ、電話入力などを介した）その日の活動の感知されたレベル、ジムでの現在の立場／活動、職場での立場、スケジュールされた会議や、下痢、風邪、インフルエンザなどの現在の疾患によって修正され得る。
【００７８】
３）視覚的なリマインダ（たとえば、ＳＭＳおよび電子メールのようなメッセージを介した、フラスコの、分配ヘッドの、フラスコ画面の、モバイルデバイス画面の、フィットネストラッカの、スマートウォッチのＬＥＤ）、および他の入力（たとえば、ＡｐｐｌｅＷａｔｃｈ（登録商標）、Ｆｉｔｂｉｔ（登録商標）、ｉＰｈｏｎｅ（登録商標）ステップトラッカ、天気アプリ、ＧＰＳ信号、ジャイロスコープモーションセンサ等）に基づいて最適化され得る（たとえば、フラスコ画面上に、フラスコスピーカ、分配ヘッドを介して、モバイル上のアプリで）聴覚的なリマインダを出力することによって、水分補給およびサプリメント補給のアドヒアランスを支援する。
【００７９】
４）（たとえば、「２マイルのための最後の水」のような）水ボトルの現在の注入レベル、現在の場所、現在のナビゲーションルート（徒歩の場合）、およびすぐ近くと近傍との両方における公共給水所の存在に基づいて、公共給水所、噴水、またはバスルームを特定して地理的に配置する。この情報は、将来の使用のためにデータベースに格納され得る。言い換えれば、このアルゴリズムや他のアルゴリズムは、全体的な精度を向上させるためにユーザからデータをキャプチャする学習アルゴリズムであり得る。たとえば、ユーザは、テキスト、電話のチャイムまたは他のオーディオ出力、固有の電話の振動、着信、フラスコの光シグナル、フラスコの振動、フラスコの可聴チャイムなどによってアラートされ得る。水の補充場所は、１）アプリを介して新しい場所を追加するか、フラスコのボタンを押すか、フラスコでジェスチャーし（たとえば、フラスコを軽く叩き）、２）冷たさ、水の風味、噴水の清潔さ、ボトル補充ステーションの存在に関する場所を評価するために、クラウドソーシングされ得る。ユーザはアプリにアクセスして、駅の情報に関するフィードバックをも提供し得る。たとえば、ユーザは、無効または閉鎖された補充ステーションに関する情報を提供し得る。この情報は、たとえば、情報が個人情報ではなく公的にアクセス可能な情報として入力された場合など、アプリの他のユーザによってアクセス可能であり得る。
【００８０】
５）１）実際の水分補給と最適なまたは推奨された栄養と、２）実際のサプリメント補給と、最適なまたは推奨された水分補給との、日次、週次、月次のグラフィカルレポートカードを提供する。これらのレポート、またはその部分構成要素、またはインスピレーションを与えるメッセージ／ポイントは、ユーザによる判定に応じて、電子メール、テキスト、アプリ、またはスクリーンで、コンピュータまたはモバイルデバイスに配信され得る。アプリケーションはまた、個々の栄養素（ビタミンＣなど）の有益で、インスピレーションを与え、心温まるプロファイルを提供して、さらなる情報を受け取ることに関心のあるユーザのプログラムへのモチベーションおよびアドヒアランスを維持し得る。成分に関する教材を含むこのレポートは、ソーシャルメディアまたはアプリを通じて共有できる。
【００８１】
６）たとえば、毎日の体重、毎日の歩数、マクロ栄養素のカウント、消費カロリ、ＷｅｉｇｈｔＷａｔｃｈｅｒｓ（登録商標）消費ポイント、実際のフィットネスとフィットネスの目標、スクリーンタイムの時間（たとえば、モバイルデバイスの使用に費やした時間）、電話での会話に費やした時間、受信したメッセージと返信したメッセージ、実際の食事と食事の目標、毎日の身体的および精神的健康評価、毎日のジャーナル、毎日の目標設定、毎日の感謝行動、毎日の血糖値計値、ヘモグロビンＡ１ｃ（ＨＢＡ１Ｃ）値などのような毎日の健康追跡情報の中央リポジトリとして機能する。このアプリは、電話、腕時計、フィットネストラッカ、医療情報システム、毎日のブドウ糖追跡システムなどと同期し、包括的で、印刷可能で、電子メール可能な健康レポートを、電子メールおよび画面／アプリ内閲覧で提供する。
【００８２】
７）誤配置された場合のフラスコシステムの発見。これにより、方向性のある地図入力が可能になるだけではなく、アプリからシグナルされると点滅し、徐々に大きなビープ音が鳴る。
【００８３】
８）ロータまたはポッドの内容物を記録するためにロータまたは個々のパケットのＱＲコードをキャプチャする。たとえば、ロータ内のパケットが交換または切り替えられた場合でも、ＱＲコードは、格納されたデータに基づいて元の内容物の情報をユーザに提供し得る。
【００８４】
９）感知された環境要因を、温度や湿度などのオンラインでアクセスされた情報と相関させる。
【００８５】
貯蔵ユニット
フラスコシステムは、望ましくは、定期的に、たとえば、毎日または他のスケジュールで充填するために洗浄および保管され得る。いくつかのサプリメントは、起床時、就寝時、または他の好ましい時間にピルの形態で摂取される。
【００８６】
最適化されたユーザ体感を提供するために、システムは、スケジュールされた時間（たとえば、夜間）中にバッテリパック（たとえば、ＮｉＣｄまたはリチウムバッテリ）を充電する多目的充電／保管スタンドを利用し得る。あるいは、フラスコは、誘導充電、ベースユニットのポゴピン、または有線コードを介して充電され得る。フラスコは、フラスコを壁から充電することを可能にするため、またはフラスコからモバイルデバイスを充電することを可能にするために、双方向のＵＳＢ−Ｃポートをさらに備え得る。一般に、フラスコはすすぎのみを必要とするが、分配ヘッドは、望ましくはさらなる洗浄を含み得る。貯蔵ユニットは、適切には、専用のブラシと、分配ヘッドおよびフラスコを洗浄するために最適化された石鹸または他の洗浄物質を備え得る。これらのブラシは、好ましくは見えない場所にあり、好ましくは、ブラシおよび分配ヘッドを滅菌するための紫外線（ＵＶ）光、ならびに分配ヘッドおよびブラシを乾燥させる小さなファンがあるであろう。
【００８７】
貯蔵ユニットは、オプションの交換可能な構成要素用の、また好ましくは、すっきりとした清潔でモダンな外観のために邪魔にならないように押し込まれたストレージを適切に有する。好ましい実施形態では、午前から午後に反転することができるか、または、空のドロワを示すために削除されるフロントプレートと、Ｒｘ製品、ジェルキャップなどのアイテムのように午前および午後の用量のために示されたサプリメント数を示すためのスライドインジケータとを備えた複数のドロワ（たとえば、４つのドロワ）が存在する。この貯蔵ユニットは、白黒で利用可能であり、最小限のカウンタスペースを占めるように最適化される。
【００８８】
他の機能
また議論されるように、本装置およびシステムは、任意選択で、さらなる構成要素、モジュール、および機能性を備え得る。たとえば、ベース構成要素は、流体または他の摂取可能な物質を、そこから装置の使用者に分配する容器構成要素に供給するようにさらに適切に構成され得る。特に、追加の構成要素として、またはブレンドユニット（たとえば、ミキサ）または温度制御ユニットなどの他の構成要素の組合せとして、たとえば、甘味料、タンパク質、電解質などを含む１つまたは複数の香味料、より具体的には、モンクフルーツノンカロリ甘味料、モンクフルーツエリスリトールブレンド、シロップ／糖溶液、蜂蜜、ビタミンＣブースタ、液体プロテイン単離物、電解質、プレワークアウトミックス、ポストワークアウト、インスタントティーまたはコーヒー用の液体クリーマのうちの１つまたは複数のような追加の流体または他の摂取物を、容器またはフラスコ構成要素に供給するモジュールが使用され得る。
【００８９】
別の実施形態として、パケットは、乳児用配合物を含み得、装置は、ブレンドされた配合物を乳児に投与するためにボトル内に貯蔵することができるニップルを備え得る。この構成では、容器構成要素に注入された水は、装置内に提供されるＵＶ−Ｃ光を使用して滅菌され得る。ベース構成要素内の加熱要素を使用して、配合物を最適な温度（たとえば、９５°Ｆ）に加熱し得る。ベース構成要素のブレンダを使用して、配合物を、滅菌された加熱水と混合し得る。ベース構成要素はまた、ニップルを貯蔵するための区画を備え得、またニップルを滅菌するためのＵＶ−Ｃライトを備え得る。この実施形態は、図面を参照して以下でさらに詳細に説明される。
【００９０】
ここで、図面の様々な図面を参照すると、図１Ａ〜図１Ｄは、容器構成要素１２、分配／分配構成要素１４、およびベース構成要素１６を含む適切な携帯型分配装置１０を示す。特に、図１Ｃおよび図１Ｄは、分配装置およびその構成要素の断面図を提供する。
【００９１】
上記で論じたように、ベース構成要素１６は、たとえば、必要に応じて、容器構成要素１２内に存在する流体の加熱および／または冷却を提供し得る温度制御ユニット１８を含む、様々な機能性を備え得る。上記で論じたように、温度制御ユニット１８は、好ましくは、容器構成要素１２に隣接して（たとえば、下に取り付けられて）配置され、容器構成要素１２内の流体位置と直接連通し得、たとえば、容器構成要素１２の流体シール底面を提供し得る。
【００９２】
ベース構成要素１６は、容器構成要素１２内で物質（たとえば、流体および１つまたは複数の摂取可能な物質）を混合またはブレンドするための混合ユニット２０、および、たとえば、容器構成要素１２内の流体と混合することなく、ユーザによって摂取され得る１つまたは複数の治療薬またはサプリメントのような任意の様々な所望の物質を保持するための貯蔵ユニット２２（たとえば、ピルボックス）などの追加機能性を備え得る。容器構成要素１２はまた、たとえば、電気接続または内蔵バッテリであり得る電源ユニット２３を備え得る。
【００９３】
あるいは、図１Ｅに示されるように、ベース構成要素１６は、ブレンダ２０が容器構成要素１２内に取り付けられた容器構成要素１２のベースを示し得、それにより、容器構成要素の下に取り付けられた追加の構成要素を排除し、分配装置の全体のサイズを低減する。
【００９４】
分配装置１０は、図１Ｆに示されるように、様々な構成で構成され得る。たとえば、示されるように、容器構成要素は、ユーザが容器内の流体レベルを視覚的に判定することを可能にする透明窓７０を含み得る。容器構成要素１２はまた、不透明な物質で形成されていることが示される。さらに、ディスペンサ構成要素は、より典型的には、カバー構成要素７２とともに示される。あるいは、ディスペンサ構成要素は、その中に装填されたパケットの視覚的表示を提供する透明窓７４を有し得る。容器構成要素はまた、摂取可能な物質と流体とのブレンドを手動で開始するためのオプションのブレンドボタン７６を含む。ブレンド機能はまた、パケットの分配を検出することに応じて、または装置の動きまたは移動を検出することに応じて、自動的に動作され得る。装置およびその中の構成要素を開始するために、任意選択で、電源ボタン７８も提供され得る。
【００９５】
図１Ｇ〜図１Ｈは、装置のディスペンサ構成要素の詳細図を示す。特に、ディスペンサ構成要素１４は、ねじ留めまたは同様のアタッチメントを介してフラスコに固定される下部部材１４ａを備え、下部部材１４ａは、ロータが半径方向に回転することを可能にする中央の上向きピボットポイント１４ｂを有し、シール１４ｃは、ロータと分配ヘッドとの間に設けられる。先端部材１４ｄは、分配ヘッド内に配置された使い捨てロータおよびポッド４０と係合する。さらに、下部部材１４ａはカム１４ｅを備え、ロータはそれに対応するカム１４ｆを備え、両方ともディスペンサ構成要素の回転に関して以下で説明される。
【００９６】
特に、ディスペンサ構成要素を回転させて、選択されたポッドを分配位置に配置すると、ポッドと、ロータの空洞の先端との間のシールが開かれ、ドッグクラッチアセンブリ、または同様の駆動面クラッチアセンブリによってシールされる。このクラッチアセンブリは、反対方向への回転を抑制しながら、一方向への回転を可能にする。アセンブリは、ディスペンサ側にカム（たとえば、ドッグフェイスカムなど）を含み、ポッドホルダ側にカム（たとえば、ドッグフェイスカムなど）を含む。ディスペンサ側のカムはロータの先端面に固定され、穿刺位置に整列され、ポッドホルダ側のカムはポッドの中心線に整列され、ロータに回転可能に固定される。特に、ポッドホルダ側のカムは、軸方向にロータ内に約０．０４〜０．２４インチ移動することができる。このカムは、ロータに固定することも、ロータと一体化することもできる。あるいは、このカムは、センタシャフトに回転可能に結合された別個の構成要素であり得る。
【００９７】
さらに、ディスペンサ構成要素がユーザによって回転されると、両方のカムが、必要なばね定数の圧縮ばね１４ｇによって接触状態に保たれ、十分なシーリングを提供し、ユーザの操作なしで回転に耐性を提供し、ユーザに、分配ユニットの１回の完全な回転が完了したことを示す触覚を提供する。単一のポッド位置を前進させる範囲は、（たとえば、以下でさらに説明する様々なロータ構成間で異なる）ロータ内の空洞の数に基づく。たとえば、ポッドが組み入れられた５つの空洞を備えるロータは、ポッド間で７２°の回転を有し、ポッドが組み入れられた４つの空洞を備えるロータは、ポッド間で９０°の回転を有し、ポッドが組み入れられた３つの空洞を備えるロータは、ポッド間で１２０°の回転を有する。したがって、空洞内に収容されるために、空洞内に組み入れられたときの各ポッドの内向きのコーナは、約７２°の角度であり得る。
【００９８】
密閉位置または閉位置から、ディスペンサ構成要素が回転すると、カムの面がカムのフェイスランプを上に移動するときにカムが分離し始める。ロータが次のポッド位置に十分に完全に進み、フェイスランプが終了すると、ディスペンサ構成要素はスプリングによってシール位置に押し下げられ、次の回転までこの係合した静止位置に動的に留まる。
【００９９】
分配装置１０はまた、図２Ａに一般的に示されるような実質的に円形または楕円形、または図２Ｂに示されるような多角形などの様々な断面を含み得る。同様に、たとえば、ベース構成要素は、図１Ａに示されるものとは異なる構成で、ユニット１８、２０、２２、２３を備え得るか、または、他の機能性は、より多数またはより少数の別個のユニットによって提供され得る。したがって、単一のユニットを利用して、温度制御、治療薬および電力の貯蔵のおのおのを提供することができるか、または別個のユニットを使用して、容器構成要素１２内の流体をそれぞれ加熱および冷却することができる。分配装置１０は、適切に寸法が大きく異なり得、たとえば、高さｑ（図１Ａ）は、約６から２４または３０インチ以上、より典型的には、約６、８、１０、１２、１４、１６、１８、２０、２２、２４インチまたはそれ以上のインチであり得る。装置１０の断面寸法ｙ（図２Ａおよび図２Ｂ）は、装置１０の高さに対して実質的に均一であり得るか、または断面寸法ｙは、装置１０の高さにわたって変化し得る。適切には、断面寸法ｙは、約２から１２インチ、より典型的には、約３、４、５、６、７、または８から、約１０、１２、１４または１６インチであり得る。
【０１００】
上記で論じたように、分割された容器構成要素は、たとえば、図２Ａおよび図２Ｂに示されるように、複数の別個の流体の貯蔵および使用を提供するために利用され得、容器構成要素１２は、容器チャンバ壁１３によって部分的に画定される複数の流体貯蔵チャンバ１２Ａ、１２Ｂを備え得る。（図２Ａおよび図２Ｂに破線として示されている）壁１３は、容器またはフラスコ構成要素の垂直高さを延在する金属（たとえば、ステンレス鋼）またはプラスチック壁であり得、任意選択で、必要に応じて開口部を提供するために下端に格納式部分を有し得、それにより、必要に応じて別個のチャンバ１２Ａおよび１２Ｂを流体的に結合する。図２Ｃおよび図２Ｄは、装置の先端が、たとえば、３つの異なる流体チャンバと連通する３つの別個のマウスピースをどのように含み得るかを示す。
【０１０１】
図３Ａは、マウスピースまたは飲用チューブ２６を含む流体出力ユニット２４を備えたディスペンサ構成要素または分配ユニット１４を含む例示的な装置１０を示す。出力フィードユニット２４は、図示するように、閉位置２４ａまたは貯蔵位置２４ｂから、（任意選択で、１つまたは複数の摂取可能な物質を含む）流体をユーザに分配するための飲用位置２４ｃ、流体を装置１０から急速に空にするための分配位置２４ｄに旋回することができる。図４はさらに、いくつかの位置２４ｂ、２４ｃ、および２４ｄにおける出力フィードユニット２４を示す。
【０１０２】
図３Ａはまた、ディスペンサ構成要素１４が、隣接する容器構成要素１２に対して横方向にオフセットされている構成を示しており、たとえば、図３Ａに示されるように、ディスペンサ構成要素１４の中心垂直軸１４’および容器構成要素１２の中心垂直軸１２’は、距離ｂによってオフセットまたは分離されている。このオフセットまたは距離ｂは、図３Ａに示されるように、流体出力ユニット２４の配置を提供する。言い換えれば、ディスペンサ構成要素１４の回転は、流体出力ユニット２４が飲用位置２４ｃに回転されることを可能にする。距離ｂは、適切に大きく変化し得、たとえば、距離ｂは、適切には、約２から１００ｍｍ、より典型的には、１０から６０ｍｍ、または他の値であり得る。
【０１０３】
さらに、図３Ｂ〜図３Ｄは、容器構成要素１４に対するディスペンサ構成要素１４の交互の回転を示す。たとえば、図３Ｂは、ピン８２を介したディスペンサ構成要素の回転を示し、図３Ｃは、ボア８４を介した回転を示す。図３Ｄは、同心回転を有する別の構成を示す。特に、この構成では、飲用チューブは、容器構成要素の中心を通って延在し得る。ディスペンサ構成要素１４の先端は、使用時にチューブの飲用端部を収容する飲用チューブハウジング８６を備え得る。貯蔵状態から使用中状態へのチューブの回転は、ボタン８８によって作動され得る。この構成では、ディスペンサ構成要素１４は、飲用チューブを使用するため、または摂取可能な物質の分配を作動させるために回転を必要としない。
【０１０４】
好ましい構成では、図１Ｆおよび図３２Ａ〜図３２Ｄに例示的に示されるように、飲用チューブを排除し、飲用経路をディスペンサ構成要素を通して提供することができる。たとえば、そのような構成では、飲用経路８７は、ディスペンサ構成要素を通って延在し得、マウスピース８０は、飲用経路がパケットの回転の経路の外部にあるロータハウジングに隣接するが分離された構成要素の先端から延在し得る。ロータユニットの空洞はまた、飲用経路の一部として機能し得る。この構成は、容器構成要素の外側に回転可能に取り付けられたハンドル８１をさらに備え得る。あるいは、ハンドルは、容器構成要素の外側に取り付けられたレバーとして形成され得る。ハンドルまたはレバーの回転は、ディスペンサ構成要素内のストライカを作動させて、摂取可能な物質を容器構成要素に解放することができ、これについては、以下でさらに説明する。特に、図３２Ａ〜図３２Ｂは、飲用経路のマウスピース８０へのアクセスを開くために持ち上げられるオプションのキャップ８５も示す。
【０１０５】
図５〜図７はさらに、フラスコまたは容器構成要素１２と、ディスペンサまたはロータ構成要素１４と、飲用チューブ２６を備えた流体出力ユニットとを含む分配装置１０を示す。まず、図５は、ディスペンサ構成要素１４の回転を示す。次に、図６は、ディスペンサ構成要素１４内に組み入れられたパッケージされた摂取可能な物質４０を示す。たとえば、図６は、飲用チューブ２６の回転を示し、ストライカ４２がパケットまたはポッド４０の蓋ストックを押し上げ、次に、蓋ストックを穿刺して、摂取可能な物質を解放し、容器構成要素に分配する。図７は、ディスペンサ構成要素１４が容器構成要素１２に沿って回転して戻された貯蔵位置にある飲用チューブを示す。
【０１０６】
図８は、ディスペンサ構成要素を通る飲用経路（ストローなし）を用いて、上記のような携帯型分配装置を装填または充填する好ましい方法を示す。特に、ロータの空洞は、図３２Ｅ〜図３２Ｆに示されるように、よりコンパクトな分配装置を提供するために飲用経路８７の一部であり得る。第１のステップＳ１００では、ディスペンサ構成要素の先端に配置されたボタンが係合または押されて、ディスペンサ構成要素のディスク構造と、その分配部分との間のシールが解放され、カートリッジまたはロータの装填が可能になる。Ｓ１５０では、ディスペンサ構成要素が持ち上げられ、容器構成要素から分離される。このステップは、自由回転を可能にするためにディスペンサ構成要素が取り付けられている中央のボアも示す。さらに、このステップは、１つの構成で前述したような分配ステーションを示す。たとえば、所望の分配ポッドが分配ステーションへ回転され、分配の係合（ハンドル、飲用チューブ、または他の記載された方法の回転による）により、（図９ＡのＳ５５０に記載されたドアが配置されている）分配ステーションに配置されたポッドの開放が可能になる。別の構成では、ディスペンサ構成要素は、テザーまたは同様のアタッチメントを介して容器構成要素に結合されたままであり得る。
【０１０７】
さらに、Ｓ２００では、ポッドが組み入れられたロータは、ポッドの底端が最初にディスペンサ構成要素のディスク構造に挿入されて（Ｓ２５０）、蓋ストックが露出するようにディスペンサユニットと整列される。Ｓ３００では、装填または充填されたディスペンサ構成要素が容器構成要素と整列され、押し下げられて（Ｓ３５０）、構成要素がともにロックされる。
【０１０８】
図９Ａは、装填されたディスペンサ構成要素を用いて飲料を製造する方法を示す。ステップＳ４００において、ディスペンサ構成要素全体が容器構成要素から分離され（たとえば、ねじ留めされていないか、またはそこからの締め付けを外され）、容器構成要素を所望の流体（たとえば、牛乳、泡立て牛乳、炭酸水、乳製品を含まない牛乳など）で満たす（Ｓ４５０）。次に、ディスペンサ構成要素が、容器構成要素に（たとえば、ねじ留めによって）再び取り付けられる（Ｓ５００）。ロータハウジング８３を回転させて、所望のポッドまたはパケットを分配位置Ｓ５５０に配置し（たとえば、選択されたポッドが分配ステーションに到達するまで回転し）、次に、ハンドル８２を下げて（または回転させて）、ポッド内の摂取物質を、容器構成要素に分配する（Ｓ６００）。ステップＳ６５０において、ボタンを作動させて、容器構成要素内に取り付けられたブレンダを作動させて、摂取可能な物質を流体とブレンドすることができる。これで、飲料を消費する準備が整う。
【０１０９】
Ｓ５５０のさらなる説明として、および図９Ｂ〜図９Ｄに示されるように、ディスペンサ構成要素１４は、分配装置のチャンバ内に配置され、チャンバは、分配ユニットをチャンバに入れるための格納式ドアユニットを含む。装置（たとえば、ストライカ４２）は、パケット４０の開放を容易にし、レバー４２ａ、カム４２ｂ、およびハンマ４２ｃを含む。特に、装置は、分配モードで開き、飲料、貯蔵、またはブレンドモードで閉じるドアを備える。ドアはまた、水が分配ユニットの貯蔵チャンバに入るのを阻止するばねによって作動されることが好ましいシールで閉じる。構成のハンドル８１は、ドアの開放およびパケットに対するストライカの回転を作動させて、摂取可能な物質を解放する。
【０１１０】
図１０Ａ〜図１１は、パケットと、ロータ内に組み入れられ、次にディスペンサ構成要素内に組み入れられたパケットの詳細図を提供する。図１０Ａに示されるように、各ポッド４０は、その蓋ストック端部にフランジ５４を含み得、ロータに挿入されると、ロータはフランジの先端に着座する。各ポッドは、以下でさらに詳細に説明する少なくとも１つの突起１１も備える。さらに、図１０Ｃ〜図１０Ｄに示されるように、各パケットは、内容物または内容物カテゴリを示すラベル９０、および蓋ストック側のより記述的で、より長いフォーマットのラベルを含み得る。
【０１１１】
図１０Ｂは、複数の組入チャンバ３４または空洞を備えたロータ構成で構成されたディスペンサ構成要素１４を示す。図１０Ｅにさらに示されるように、ディスペンサ構成要素１４は、必要に応じて容器構成要素１２に供給することができる摂取可能な物質の１つまたは複数のポッド４０と適切に解放可能に係合する。図１０Ｆ〜図１０Ｇは、ディスペンサまたはロータ構成要素内に組み入れられたポッドの図を示す。特に、図１０Ｆは、ポッドが装填された５つの空洞を備えたロータを示し、図１０Ｇは、ポッドが装填された３つの空洞を備えたロータを示す。
【０１１２】
ロータ構成要素１４は、たとえば、ポッドユニット４０内の摂取可能な物質および／またはロータが製造された特定の人、またはロータユニットおよびその内容物が特に有用または適切であるように設計されている人のグループ（たとえば、妊娠の特定の段階の女性、性別、持久力アスリート、７０歳以上の人）を識別するラベルを適切に含む。ラベルは、ロータから分離することができ、またはより好ましくは、ロータユニット１４上またはロータユニット１４に貼付されるか、そうでなければ直接取り付けられるか、または統合される。
【０１１３】
図１１は、ディスペンサ構成要素１４へ装填される、より具体的には、ディスペンサ構成要素のロータ構成に組み入れられる摂取物を保持するための好ましいパッケージングまたはポッドユニット４０を示す。図１１に示されるように、ユニット４０は、前面フランジ５４を備えた先端（たとえば、プラスチック製の蓋ストック、箔の蓋ストックなど）部分５２に切込を入れられた開口線を適切に備える。そのフランジ５４は、ロータまたは他の分配ユニット１４内での解放可能な確実な係合を容易にすることができる。
【０１１４】
図１２Ａ〜図１２Ｆおよび図１３Ａ〜図１３Ｊは、パケットの複数の代替構成を示す。特に、図１２Ａ〜図１２Ｆは、熱成形されたパケットの６つのパケット構成を示し、図１３Ａ〜図１３Ｊは、射出成形されたパケットの１０個のパケット構成を示す。たとえば、図面は、３面、４面、円筒形、およびそれらの組合せなど、パケットの様々な形状を示す。携帯型分配装置でのこれらのパケット構成の使用は、図１４Ａ〜図３１Ｄを参照して説明される。
【０１１５】
図１４Ａ〜図１４Ｃは、実質的にくさび形状を有する熱成形パケットを示す。特に、パケットは、実質的に平坦な底部と蓋ストック側の３つの側面を有するパイ形状のくさびとして形成される。図示されるように、パケットはまた、ディスペンサ構成要素のディスク構造と係合するために蓋ストック側に形成されたフランジを含む。この構成の蓋ストックは、穿孔可能であり得る。図１４Ｄは、保管、ポッド装填、およびポッド穿刺構成の分配装置を示す。この構成では、ディスペンサ構成要素１４は、容器構成要素１２からオフセットされるように回転されて、折り畳まれた飲用チューブ２６を表す。図１４Ｅ〜図１４Ｆに示されるように、飲用チューブを飲用位置に回転させることに応じて、それに機械的に結合されたストライカ４２が、ロータに向かって持ち上げられ、分配ステーションに配置されたパケットの蓋ストックを突き刺す。ストライカ４２のフレーム構造は、摂取可能な物質がストライカの開口部を通って容器構成要素に解放することを可能にする。
【０１１６】
図１５Ａ〜図１５Ｃは、図１４Ａ〜図１４Ｃのものと実質的に同じ形状を有する熱成形パケットを示す。しかしながら、この構成では、蓋ストックは、２つの側面に切込を入れて剥がすことができる。さらに、この構成では、摂取可能な物質を分配するためにストライカの動作が変化する。図１５Ｄに示されるように、ストライカ４２はメッシュ構造を有し、固定位置で回転し、飲用ストローの回転に応じてパケット蓋ストックに向かって持ち上げられない。特に、図１５Ｅ〜図１５Ｆに示されるように、飲用ストローの回転は、ストライカが、開放されたパケットの蓋ストックを剥がして、摂取可能な物質を分配するようにストライカを回転させる。蓋ストックの２つの側面だけに切込を入れることができるので、蓋ストックは、パケットに取り付けられたままであり、したがって、蓋ストックが、容器構成要素内の流体に落ちるのを阻止する。
【０１１７】
図１６Ａ〜図１６Ｃは、図１４Ａ〜図１４Ｃおよび図１５Ａ〜図１５Ｃのものと実質的に同じ形状を有する熱成形パケットを示す。この構成では、図１６Ｄに示されるように、ストライカ４２は、アームに取り付けられた針が提供されるように形成される。たとえば、針が装填され、パケットに向かって上向きに傾けられて、蓋ストックを突き刺す。針のアームは、パケット４０から離れるように回転させて再装填され、次に後方に回転され、上に傾けて再び装填位置に戻ることができる。
【０１１８】
図１７Ａ〜図１７Ｃは、パケットの底部が可撓性である実質的にくさび形状を有する熱成形パケットを示す。たとえば、くさび形状のパケットの一方の側面は、アコーディオンとして形成された底部を含み得る。この構成での摂取可能な物質の分配は、作動構成要素としての飲用ストローを省略し得る。代わりに、図１７Ｄに示されるように、ローラ４２ｄは、ディスペンサ構成要素内のポッド４０に隣接して配置され得る。ディスペンサ構成要素全体の回転に応じて、ローラがパケットの底部に押し付けられ、アコーディオン部分を圧縮する。圧縮による圧力により、パケットの蓋ストックが開き、摂取可能な物質が容器構成要素に分配される。
【０１１９】
図１８Ａ〜図１８Ｃは、その底面に形成された凹状のくさび部分を有する熱成形パケットを示す。この構成では、図１８Ｄに示されるように、ストライカ４２は、ディスペンサ構成要素の中心でカム１４ｅと係合するシャフトからの延長プレート４２ｅ、４３ｆとして形成される。摂取可能な物質の分配を作動させるために、ディスペンサ構成要素が回転し、カムを回転させ、シャフトおよびカムをパケットに対して押し、凹面部分の崩壊を引き起こす。したがって、崩壊の圧力により、パケットの蓋ストックが開き、摂取可能な物質が容器構成要素に分配される。
【０１２０】
図１９Ａ〜図１９Ｂは、フランジを有する円筒形状として形成された熱成形パケットを示す。この構成では、図１９Ｃに示されるように、ディスペンサ構成要素は、摂取可能な物質の分配を作動させるために、容器構成要素からオフセットされるように回転される。特に、ストライカ４２は、ロータの下に配置されたボアとして形成され得る。ディスペンサ構成要素が回転すると、ボア４２はねじ山形状のボアを通して押し上げられ、摂取可能な物質を容器構成要素に解放する。あるいは、図２０に示されるように、ストライカは、ディスペンサ構成要素の回転時にパケットの蓋ストックを通して押し上げられる円錐形状のボア４２であり得る。
【０１２１】
図２１Ａ〜図２１Ｃは、フランジを有する円筒形状として形成された熱成形パケットを示す。しかしながら、この構成では、ボアストライカ４０ａは、パケット自体と統合され得る。ボアストライカ４０ａは、パケットの底部と結合され得る。ボアストライカの端部とパケットの底部は、パケット全体の長さを超えて延在し得る。図２１Ｄに示されるように、ボアを作動させ、摂取可能な物質を分配するために、ボアストライカの端部をパケットに押し下げて、蓋ストックを突き刺すことができる。ボアストライカの突出端部は、ディスペンサ構成要素の先端に配置されたボタンを介して係合され得る。
【０１２２】
図２２Ａ〜図２２Ｃは、実質的にくさび形状を有する射出成形パケットを示す。この構成では、くさび形状のパケットの底部はドーム構造（たとえば、底面から延在するドーム形状の突起）を有する。さらに、パケットの蓋ストック側は、パケット内に突き出た凹面である。凹形状は、実質的にくさび形状であり得る。底面のドーム形状は、パケットへの凹面部分の突起に位置的に対応し得る。図２２Ｄは、ポッドのディスペンサ構成要素への装填、および容器構成要素からオフセットされるディスペンサ構成要素の回転を示す。次に、パケットの蓋ストックを開くために、パケットからの回転によって蓋ストックが剥がされる。
【０１２３】
図２３Ａ〜図２３Ｃは、射出成形されたパケットが、実質的にくさび形状を有していることを示す。くさび形状の一方の側面は、３つの部分（たとえば、丸くない）で形成することができ、パックの蓋ストック側はヒンジ付き蓋構造を含む。特に、パケットの蓋ストック４０ｂは、パケットのフランジ４０ｃに繋がれ得る。突出部材４０ｅもまた、パケットの底部から蓋ストックに向かって下向きに延在する。突出部材は、特に蓋ストックの開口部を越えて延在する。図２３Ｄに示すように、摂取可能な物質がパケットに注入されると、蓋ストックが閉じられ、これにより、突出部材が、蓋ストックのポイントに形成されたノッチ４０ｄに向かって湾曲し、蓋ストックを閉状態に維持する。摂取可能な物質を解放するために、蓋構造は、ノッチによって解放され、これは、突出部材の湾曲状態を解放する。したがって、突出部材が蓋ストックを押し開いて、そこに貯蔵されている摂取可能な物質を解放する。
【０１２４】
図２４Ａ〜図２４Ｃは、実質的にくさび形状を有する射出成形パケットを示す。この構成では、パケットの底部がドーム形状を有し得る。さらに、突出部材は、パケット内のドームの中心から蓋ストック側に向かって延在する。突出部材４０ａは、その端部に複数のフィンを備えている。図２４Ｄに示されるように、摂取可能な物質を、容器構成要素に分配するために、ディスペンサ区画の回転により、突出部材が蓋ストックを押し下げ、そのフィンが蓋ストックを突き刺して摂取可能な物質を解放する。
【０１２５】
図２５Ａ〜図２５Ｃは、実質的にくさび形状を有する射出成形パケットを示す。この構成では、パケットは、複数の層で形成され得る。たとえば、内層および外層４０ｆは、その側面を通して形成され、パケットの蓋に結合された長い開口を有する。図２５Ｄに示されるように、パケットの外層は、内層がディスペンサ構成要素に残ったまま、容器構成要素に押し下げられ得る。したがって、摂取可能な物質は、外層の長い開口を通して解放され得る。外層と蓋との結合は、蓋も容器構成要素に押し下げられ、摂取可能な物質を含む内層を開くことを意味する。たとえば、パケットの底部の各コーナは、ロッド４０ｇを備え得、各ロッドは、パケットの外層と連通して、外層を容器構成要素に押し込むことができる。この構成は、摂取可能な物質の所望の緩やかな解放に役立ち得る。
【０１２６】
図２６Ａ〜図２６Ｃは、図２３Ａ〜図２３Ｃと同様に実質的にくさび形状およびヒンジ付きの蓋構造を有する射出成形パケットを示す。しかしながら、この構成では、蓋ストックは、くさび形状のパケットの側面にヒンジで固定されている。蓋構造の開口側にも、パケット幅を超えて延在するフランジがある。図２６Ｄに示されるように、ディスペンサ構成要素は、分配ステーションから上方に延在するバー部材４２ｈを備え得る。パケットが分配ステーションに配置されると、バー部材は、蓋構造のフランジを押し下げて、蓋ストックを押し開き、摂取可能な物質を容器構成要素に解放できる。
【０１２７】
図２７Ａ〜図２７Ｃは、実質的にくさび形状を有する射出成形パケットを示す。この構成では、パケットの蓋は、パケットとは別の構成要素として形成され、その中に取り付けられる。蓋構造は、パケット内に延在する突起４０ｈを含む。対応する場所に、パケットは、２つのスリットを含む。図２７Ｄに示されるように、解放構成要素４２ｉは、ディスペンサ構成要素に含まれる。この解放構成要素は、パケットのスリットに対応する２つの突起を備える。したがって、解放構成要素がパケットに結合されると、解放構成要素の突起がパケットスリットに挿入され、それが蓋構造の突起を押して、蓋をパケットから解放させる。この構成は、ディスペンサ構成要素の下に形成されたメッシュまたはスクリーン構造をさらに含み得る。したがって、蓋構造はメッシュ構造によって捕捉され、摂取可能な物質がその中に流れ込むことを可能にしながら、容器構成要素内の流体に入るのを阻止する。
【０１２８】
図２８Ａ〜図２８Ｃは、実質的に円筒形状を有する射出成形パケットを示す。この構成では、パケットの蓋側は、パケットから延在する三角形状のフランジを含む。フランジには、複数のリブを有する保持リング４０ｉが取り付けられている。図２８Ｄに示されるように、パケットは、ディスペンサ構成要素のディスク構造の下に位置するフランジおよび保持リングを備えたディスペンサ構成要素に装填される。摂取可能な物質を解放するために、ディスペンサ構成要素内のボア構成要素４２ｊが、保持リングに対して押し上げられる。それに応じて、パケットの蓋のリング形状部分がボアを通して押し出されてパケットを開き、摂取可能な物質を容器構成要素に解放する。
【０１２９】
図２９Ａ〜図２９Ｃは、図２８Ａ〜図２８Ｃに記載されているように、実質的に円筒形状および三角形状のフランジを有する射出成形パケットを示す。しかしながら、この構成では、円形状の蓋構造がパケットのフランジ部分に圧入されて、パケットを閉じる。蓋構造はまた、そこから延在するノブを備える。ロータに装填されると、ノブはロータの下からディスペンサ構成要素まで延在する。図２９Ｄに示されるように、ディスペンサ構成要素は、その下部に形成されたメッシュまたは組入層４０ｊで形成され得る。さらに、その端部にフックを備えた延長アームをロータの下に配置し、ロータとともに回転させることができる。ロータが回転すると、延長アームのフック端部が、蓋のノブをキャッチして、蓋をパケットから分離し、摂取可能な物質を解放する。蓋自体がメッシュ構造に引っ掛かり、容器構成要素への落下を阻止する。
【０１３０】
図３０Ａ〜図３０Ｃは、実質的に円筒形状のパケットおよび実質的に三角形状のフランジを有する射出成形パケットを示す。この構成では、フランジの１つのコーナ５２ａが、パケットの開口部の上に折り畳まれて、円形状の蓋構造５２ｂでパケットを閉じる。蓋構造はまた、ロータに装填されたときにロータの下でディスペンサ構成要素内に延在するＬ字形状の突起を備える。図２９Ｄと同様に、図３０Ｄに示されるように、ロータは、その下に、その端部にフックを備えた延長アームを備える。ロータが回転すると、延長アームのフックが蓋のＬ字形状の突起を捕らえ、蓋をパケットから分離して、摂取可能な物質を開いて解放する。しかしながら、この構成では、蓋がフランジの折り畳まれたコーナに接続されたままになるため、メッシュ構造は省略される。
【０１３１】
図３１Ａ〜図３１Ｃは、実質的に三角形状のフランジを備えた円筒形状のパケットを有する射出成形パケットを示す。この構成では、チューブが携帯型分配装置の中心を通って延在する。ディスペンサ装置には、ラム針４２ｌおよびラムアクチュエータ４２ｋが接続される。ラムアクチュエータは、ディスペンサ装置の外側に突き出るように延在する。ラム針を作動させるために、すなわち、ラム針をディスペンサ構成要素内のパケットを通して穿刺させるために、ユーザは、ラムアクチュエータをディスペンサ装置の外周に沿ってスライドさせることができる。ラムアクチュエータのこの回転により、ラム針がパケットの蓋ストックに押し上げられ、摂取可能な物質を、容器の構成要素に解放する。
【０１３２】
図３３〜図３４は、上記のようにパケットおよびロータを収容するように構成されたパッケージングユニットの様々な実施形態を示す。特に、図３３は、スリーブ９０内に複数のパケットを保持するように構成されたパッケージングユニットを示す。図示されるように、ポッドは、各ポッドの蓋ストックが、不注意に突き刺されることを阻止するために、交互する方位で組み入れられ得る。任意の数のポッドが、スリーブ９０に収容され得る。図３３Ｂは、ポッドがボックス９２内の個々のインサートに収容されている別の実施形態を示す。たとえば、ボックスは、ポッド４０を受け入れるように構成された特定の数の空洞９３を含む。これにより、個々のポッドが保護される。
【０１３３】
図３４Ａ〜図３４Ｆは、組み入れられたポッドを有するロータ９５を収容するように構成されたパッケージングユニットの様々な実施形態を示す。図３４Ａ〜図３４Ｄに示されるように、装填されたロータは、ロータのための可変数の行を含むスリーブまたはボックスタイプのユニット９４に収容され得る。ボックスは、任意選択で、複数の区画に分離され、装填されたロータ間の保護を提供し得る。図３４Ｅ〜図３４Ｆは、装填されたロータが垂直分配スリーブ９６に収容され得る別の実施形態を示す。たとえば、これらのスリーブは、装填されたロータの容易な分配を可能にするために、任意選択で、垂直に取り付けられ得る。装填されたロータの１つが引き出されると、次のロータが開口スロット９７まで滑り落ちる。任意選択で、開口スロットは、ポッドをさらに保護するためのドアを備え得る。
【０１３４】
図３５は、流体分配装置が別個の流体追加ユニットを備えるさらなる実施形態を示す。したがって、図３５に示されるように、流体追加ユニット６０は、流体分配装置上の容器構成要素に必要に応じて追加するための流体を適切に含む。ユニット６０は、流体をユニットに投与するための供給ラインまたは他の供給構成６２と、必要に応じて、流体分配装置の容器構成要素への流体の流れのための一方向ポート６４とを適切に含む。ユニット６０は、適切には、プラスチックまたは他の物質であり得、そして１回の使用後に使い捨てであり得るか、または再利用可能またはリサイクル可能であり得る。
【０１３５】
図３６は、流体追加ユニット６０を装備された容器構成要素１２を備えた流体分配装置１０を示す。空気ポンプ６６を含み得る空気袋６２は、容器１２への流体の流れを容易にするために、流体追加ユニット６０に関連して使用される。
【０１３６】
図３７Ａ〜図３７Ｃおよび図３８Ａ〜図３８Ｄは、乳児用配合物を分配するように構成された分配装置を示す。特に、この実施形態では、分配装置は、装置の先端部に設けられたニップル５００を含み得る。ニップル５００は、分配ヘッド５１０に（たとえば、ねじ留めまたは同様の取付方法によって）取り付けられたニップルホルダ５０５に取り付けられ、所定の位置に保持される。分配ヘッド５１０は、分配ヘッド５１０内に組み入れられた乳児用配合物のポッドを突き刺すように構成された穿孔装置５１５に取り付けられる。ニップルホルダ５０５、分配ヘッド５１０、および穿孔装置５１５は、ボトルまたは容器構成要素５２０にともに取り付けられる。ブレンダ５２２は、ボトル構成要素５２０の底部に取り付けられて、分配された乳児用配合物を、ボトル構成要素５２０に含まれる水または他の流体と混合することができる。
【０１３７】
さらに、ボトル構成要素５２０の底部には、ベース構成要素５２５が取り付けられる。ベース構成要素５２５は、モータ、バッテリ、ＵＶ−Ｃライト、およびヒータを備え得る。特に、モータは、ボトル構成要素５２０内のブレンダ５２２を動作させるように駆動される。ＵＶ−Ｃライトは、乳児用配合物を分配する前に、ボトル構成要素５２０に注入された水を滅菌するために使用される。ベース構成要素内のヒータまたは加熱要素を使用して、配合物を最適な温度（たとえば、９５°Ｆ）に加熱する。ベース構成要素５２５の下には、滅菌チャンバ５３０があり得る。このチャンバはまた、ＵＶ−Ｃライトまたは他の同様の種類の滅菌構成要素を備え得る。ニップル、おしゃぶり、または他の同様のアイテムは、このチャンバにおいて保管および滅菌され得る。
【０１３８】
この構成では、乳児用配合物が分配され、ボトル構成要素内の流体とブレンドされると、図３７Ｂに示すように、ブレンドされた流体を乳児に分配する前に、様々な構成要素を取り外すことができる。特に、分配ヘッド、穿孔装置、ベース構成要素、および滅菌チャンバはすべて、分配装置から取り外すことができる。したがって、装置は、ニップル、ニップルホルダ、およびボトル区画を備える哺乳瓶を提供することができる。図３７Ｃに示されるように、分配ヘッド、穿孔装置、ベース構成要素、および滅菌チャンバは、互いに取り付けられ、分配装置の使用中に保管され得る。
【０１３９】
図３８Ａ〜図３８Ｄは、図３７Ａの分配ヘッド内のポッドの保管を示す。特に、図３７Ａ〜図３７Ｂは、分配ヘッドの上面図を示し、図３７Ｃ〜図３７Ｄは、その側面図を示す。たとえば、分配ヘッドは、円形状のポッド６０５または半円形状のポッド６１０を保管することができるが、実施形態はそれに限定されず、本明細書に記載の任意の形状のポッドをこの構成で使用することができる。分配ヘッドは、おのおのがポッドを収容する上部チャンバと下部チャンバに分割できる。たとえば、図３８Ｃは、貯蔵された２つの円形状のポッドを示しており、ボトル構成要素に分配するために、１つは上部チャンバに保管され、もう１つは下部チャンバに保管される。別の例として、図３８Ｄは、４つの半円形状のポッドを示しており、ボトル構成要素に分配するために、２つは上部チャンバに保管され、２つは下部チャンバに保管される。
【図１Ａ】
2021528214.tif 000003
【図１Ｂ】
2021528214.tif 000004
【図１Ｃ】
2021528214.tif 000005
【図１Ｄ】
2021528214.tif 000006
【図１Ｅ】
2021528214.tif 000007
【図１Ｆ】
2021528214.tif 000008
【図１Ｇ】
2021528214.tif 000009
【図１Ｈ】
2021528214.tif 000010
【図２Ａ】
2021528214.tif 000011
【図２Ｂ】
2021528214.tif 000012
【図２Ｃ】
2021528214.tif 000013
【図２Ｄ】
2021528214.tif 000014
【図３−１】
2021528214.tif 000015
【図３−２】
2021528214.tif 000016
【図４】
2021528214.tif 000017
【図５】
2021528214.tif 000018
【図６】
2021528214.tif 000019
【図７】
2021528214.tif 000020
【図８】
2021528214.tif 000021
【図９Ａ】
2021528214.tif 000022
【図９Ｂ】
2021528214.tif 000023
【図９Ｃ】
2021528214.tif 000024
【図９Ｄ】
2021528214.tif 000025
【図１０Ａ】
2021528214.tif 000026
【図１０Ｂ】
2021528214.tif 000027
【図１０Ｃ】
2021528214.tif 000028
【図１０Ｄ】
2021528214.tif 000029
【図１０Ｅ】
2021528214.tif 000030
【図１０Ｆ】
2021528214.tif 000031
【図１０Ｇ】
2021528214.tif 000032
【図１１】
2021528214.tif 000033
【図１２−１】
2021528214.tif 000034
【図１２−２】
2021528214.tif 000035
【図１３】
2021528214.tif 000036
【図１４−１】
2021528214.tif 000037
【図１４−２】
2021528214.tif 000038
【図１５−１】
2021528214.tif 000039
【図１５−２】
2021528214.tif 000040
【図１６】
2021528214.tif 000041
【図１７】
2021528214.tif 000042
【図１８】
2021528214.tif 000043
【図１９】
2021528214.tif 000044
【図２０】
2021528214.tif 000045
【図２１】
2021528214.tif 000046
【図２２】
2021528214.tif 000047
【図２３】
2021528214.tif 000048
【図２４】
2021528214.tif 000049
【図２５】
2021528214.tif 000050
【図２６】
2021528214.tif 000051
【図２７】
2021528214.tif 000052
【図２８】
2021528214.tif 000053
【図２９】
2021528214.tif 000054
【図３０】
2021528214.tif 000055
【図３１】
2021528214.tif 000056
【図３２−１】
2021528214.tif 000057
【図３２−２】
2021528214.tif 000058
【図３２−３】
2021528214.tif 000059
【図３２−４】
2021528214.tif 000060
【図３３Ａ】
2021528214.tif 000061
【図３３Ｂ】
2021528214.tif 000062
【図３４−１】
2021528214.tif 000063
【図３４−２】
2021528214.tif 000064
【図３４−３】
2021528214.tif 000065
【図３４−４】
2021528214.tif 000066
【図３４−５】
2021528214.tif 000067
【図３５】
2021528214.tif 000068
【図３６】
2021528214.tif 000069
【図３７】
2021528214.tif 000070
【図３８】
2021528214.tif 000071
【国際調査報告】
2021528214.tif 000072
2021528214.tif 000073